(57)【要約】  近隣発見信号の電力を調整する方法は、送信無線装置の最大送信電力を決定するステップを有しても良い。送信無線装置は、１又は複数の受信無線装置に近隣発見信号を送信するよう構成されても良い。１又は複数の受信無線装置は、送信無線装置の発見された近隣無線装置であっても良く、近隣発見信号を受信するよう構成されても良い。方法は、近隣発見信号の電力レベルを、送信無線装置の最大送信電力及び発見された近隣無線装置の数に基づき決定するステップ、を更に有しても良い。
2016519467.tif 000002
【特許請求の範囲】
【請求項１】
近隣発見信号の電力を調整する方法であって、前記方法は、
近隣発見信号を受信するよう構成される１又は複数の受信無線装置に該近隣発見信号を送信するよう構成される送信無線装置の最大送信電力を決定するステップであって、前記１又は複数の受信無線装置は、前記送信無線装置の発見された近隣無線装置である、ステップと、
前記送信無線装置の前記最大送信電力及び前記発見された近隣無線装置の数に基づき、前記近隣発見信号の電力レベルを決定するステップと、
を有する方法。
【請求項２】
別の無線装置と無線ネットワークアクセスポイントとの間の通信により経験される干渉に基づき、前記近隣発見信号の前記電力レベルを決定するステップ、を更に有する請求項１に記載の方法。
【請求項３】
前記送信無線装置と無線ネットワークアクセスポイントとの間で送信されるＰＵＳＣＨ（Physical  Uplink  Shared  Channel）信号のＰＵＳＣＨ電力レベル、前記送信無線装置と前記無線ネットワークアクセスポイントとの間で送信されるＰＵＣＣＨ（Physical  Uplink  Control  Channel）信号のＰＵＣＣＨ電力レベル、前記送信無線装置と前記無線ネットワークアクセスポイントとの間で送信されるＳＲＳ（Sounding  Reference  Signal）信号のＳＲＳ電力レベル、及び前記送信無線装置と前記無線ネットワークアクセスポイントとの間のアップリンク信号経路損失、のうちの少なくとも１つに基づき、前記近隣発見信号の前記電力レベルを決定するステップ、を更に有する請求項１に記載の方法。
【請求項４】
前記ＰＵＳＣＨ電力レベル、前記ＰＵＣＣＨ電力レベル、前記ＳＲＳ電力レベル、及び前記アップリンク信号経路損失のうちの少なくとも１つを前記近隣発見信号の基準電力レベルとして用いるステップ、を更に有する請求項３に記載の方法。
【請求項５】
前記ＰＵＳＣＨ電力レベル、前記ＰＵＣＣＨ電力レベル、前記ＳＲＳ電力レベル、及び前記アップリンク信号経路損失に重み付け係数を適用して、前記基準電力レベルを決定するステップであって、前記重み付け係数は、別の無線装置と前記無線ネットワークアクセスポイント及び別の無線ネットワークアクセスポイントのうちの少なくとも１つとの間のアップリンク通信により経験される干渉に基づく、ステップ、を更に有する請求項４に記載の方法。
【請求項６】
別の送信無線装置により発見された他の近隣無線装置の数に基づき、前記近隣発見信号の前記電力レベルを決定するステップ、を更に有する請求項１に記載の方法。
【請求項７】
ＲＲＣ（radio  resource  control）構成に基づき、前記近隣発見信号の前記電力レベルを通信するステップ、を更に有する請求項１に記載の方法。
【請求項８】
近隣発見信号の電力を調整する動作をシステムに実行させるコンピュータ命令を実行するよう構成されるプロセッサであって、前記動作は、
近隣発見信号を受信するよう構成される１又は複数の受信無線装置に該近隣発見信号を送信するよう構成される送信無線装置の最大送信電力を決定するステップであって、前記１又は複数の受信無線装置は、前記送信無線装置の発見された近隣無線装置である、ステップと、
前記送信無線装置の前記最大送信電力及び前記発見された近隣無線装置の数に基づき、前記近隣発見信号の電力レベルを決定するステップと、
を有する、プロセッサ。
【請求項９】
前記動作は、別の無線装置と無線ネットワークアクセスポイントとの間の通信により経験される干渉に基づき、前記近隣発見信号の前記電力レベルを決定するステップ、を更に有する、請求項８に記載のプロセッサ。
【請求項１０】
前記動作は、前記送信無線装置と無線ネットワークアクセスポイントとの間で送信されるＰＵＳＣＨ（Physical  Uplink  Shared  Channel）信号のＰＵＳＣＨ電力レベル、前記送信無線装置と前記無線ネットワークアクセスポイントとの間で送信されるＰＵＣＣＨ（Physical  Uplink  Control  Channel）信号のＰＵＣＣＨ電力レベル、前記送信無線装置と前記無線ネットワークアクセスポイントとの間で送信されるＳＲＳ（Sounding  Reference  Signal）信号のＳＲＳ電力レベル、及び前記送信無線装置と前記無線ネットワークアクセスポイントとの間のアップリンク信号経路損失、のうちの少なくとも１つに基づき、前記近隣発見信号の前記電力レベルを決定するステップ、を更に有する、請求項８に記載のプロセッサ。
【請求項１１】
前記動作は、前記ＰＵＳＣＨ電力レベル、前記ＰＵＣＣＨ電力レベル、前記ＳＲＳ電力レベル、及び前記アップリンク信号経路損失のうちの少なくとも１つを前記近隣発見信号の基準電力レベルとして用いるステップ、を更に有する、請求項１０に記載のプロセッサ。
【請求項１２】
前記動作は、前記ＰＵＳＣＨ電力レベル、前記ＰＵＣＣＨ電力レベル、前記ＳＲＳ電力レベル、及び前記アップリンク信号経路損失に重み付け係数を適用して、前記基準電力レベルを決定するステップであって、前記重み付け係数は、別の無線装置と前記無線ネットワークアクセスポイント及び別の無線ネットワークアクセスポイントのうちの少なくとも１つとの間のアップリンク通信により経験される干渉に基づく、ステップ、を更に有する、請求項１１に記載のプロセッサ。
【請求項１３】
前記動作は、別の送信無線装置により発見された他の近隣無線装置の数に基づき、前記近隣発見信号の前記電力レベルを決定するステップ、を更に有する、請求項８に記載のプロセッサ。
【請求項１４】
近隣発見信号を送信する方法であって、前記方法は、
送信無線装置により、近隣発見信号の電力レベルを受信するステップであって、前記送信無線装置は、近隣発見信号を受信するよう構成される１又は複数の受信無線装置に該近隣発見信号を送信するよう構成され、前記１又は複数の受信無線装置は、前記送信無線装置の発見された近隣無線装置であり、前記近隣発見信号の前記電力レベルは、前記送信無線装置の最大送信電力及び前記発見された近隣無線装置の数に基づく、ステップと、
前記の受信した電力レベルで前記近隣発見信号を送信するステップと、
を有する方法。
【請求項１５】
前記近隣発見信号の前記電力レベルは、別の無線装置と無線ネットワークアクセスポイントとの間の通信により経験される干渉に更に基づく、請求項１４に記載の方法。
【請求項１６】
前記近隣発見信号の前記電力レベルは、前記送信無線装置と無線ネットワークアクセスポイントとの間で送信されるＰＵＳＣＨ（Physical  Uplink  Shared  Channel）信号のＰＵＳＣＨ電力レベル、前記送信無線装置と前記無線ネットワークアクセスポイントとの間で送信されるＰＵＣＣＨ（Physical  Uplink  Control  Channel）信号のＰＵＣＣＨ電力レベル、前記送信無線装置と前記無線ネットワークアクセスポイントとの間で送信されるＳＲＳ（Sounding  Reference  Signal）信号のＳＲＳ電力レベル、及び前記送信無線装置と前記無線ネットワークアクセスポイントとの間のアップリンク信号経路損失、のうちの少なくとも１つに更に基づく、請求項１４に記載の方法。
【請求項１７】
前記ＰＵＳＣＨ電力レベル、前記ＰＵＣＣＨ電力レベル、前記ＳＲＳ電力レベル、及び前記アップリンク信号経路損失のうちの少なくとも１つは、前記近隣発見信号の基準電力レベルとして用いられる、請求項１６に記載の方法。
【請求項１８】
重み付け係数が、前記ＰＵＳＣＨ電力レベル、前記ＰＵＣＣＨ電力レベル、前記ＳＲＳ電力レベル、及び前記アップリンク信号経路損失に適用され、前記重み付け係数は、別の無線装置と前記無線ネットワークアクセスポイント及び別の無線ネットワークアクセスポイントのうちの少なくとも１つとの間のアップリンク通信により経験される干渉に基づく、請求項１７に記載の方法。
【請求項１９】
前記近隣発見信号の前記電力レベルは、別の送信無線装置により発見された他の近隣無線装置の数に更に基づく、請求項１４に記載の方法。
【請求項２０】
ＲＲＣ（radio  resource  control）構成に基づき、前記近隣発見信号の前記電力レベルを受信するステップ、を更に有する請求項１４に記載の方法。
【発明の詳細な説明】
【技術分野】
【０００１】
本開示は、近隣発見信号の電力制御に関する。
【背景技術】
【０００２】
無線通信ネットワークを用いるスマートフォン、タブレット、ラップトップコンピュータ、及び他の電子装置（概して「無線装置」として表す）の急増は、ユビキタスな及び連続的な無線音声及びデータアクセスに対する増大する需要を作り出している。装置間（Ｄ２Ｄ）通信は、この需要を満たすのを助けることができる。例えば、Ｄ２Ｄ通信は、無線装置間で実行されても良く、無線装置が情報をキャプチャし及び互いに該情報を通信できるようにする。このＤ２Ｄ通信は、無線通信リソースの再利用を可能にでき、無線音声及びデータアクセスに対する需要を満たすのを助けることができる。
【０００３】
本願明細書で請求される主題は、上述のような欠点を解決する実施形態や上述のような環境でのみ機能する実施形態に限定されない。むしろ、この背景技術は、単に、本願明細書に記載される複数の実施形態が実施される技術分野の一例を説明するために提供される。
【発明の概要】
【発明が解決しようとする課題】
【０００４】
開示の実施形態は、近隣発見信号の電力制御を提供する。
【課題を解決するための手段】
【０００５】
実施形態の一態様によると、近隣発見信号の電力を調整する方法は、送信無線装置の最大送信電力を決定するステップを有しても良い。送信無線装置は、１又は複数の受信無線装置に近隣発見信号を送信するよう構成されても良い。１又は複数の受信無線装置は、送信無線装置の発見された近隣無線装置であっても良く、近隣発見信号を受信するよう構成されても良い。方法は、近隣発見信号の電力レベルを、送信無線装置の最大送信電力及び発見された近隣無線装置の数に基づき決定するステップ、を更に有しても良い。
【０００６】
実施形態の目的及び利点が理解され、少なくとも特に特許請求の範囲で指摘された要素、特徴及び組合せを用いて達成されるだろう。
【０００７】
上述の全体的説明及び以下の詳細な説明の両方は、例示及び説明のためであり、本発明の範囲を限定しないことが理解される。
【図面の簡単な説明】
【０００８】
例示的な実施形態は、添付の図面を用いて、更なる特異性及び詳細事項と共に記載され説明される。
【図１】無線装置間の装置間（Ｄ２Ｄ）通信を開始するよう構成される例示的な無線通信ネットワークを示す。
【図２】近隣発見チャネルリソースの構成を示す例示的なマトリクスを示す。
【図３】Ａ乃至Ｂは、タイムスロット割り当てシフトに基づく近隣発見チャネルリソースの割り当てを示す例示的なスケジューリングマトリクスを示す。
【図４】Ａ乃至Ｂは、タイムスロット及び周波数割り当てシフトに基づく近隣発見チャネルリソースの割り当てを示す例示的なスケジューリングマトリクスを示す。
【図５】Ａ乃至Ｂは、行列転置に基づく近隣発見チャネルリソースの割り当てを示す例示的なスケジューリングマトリクスを示す。
【図６Ａ】ＢＳ法（binary  splitting  scheme）に基づく近隣発見チャネルリソースの割り当てを示す例示的なスケジューリングマトリクスを示す。
【図６Ｂ】ＢＳ法（binary  splitting  scheme）に基づく近隣発見チャネルリソースの割り当てを示す例示的なスケジューリングマトリクスを示す。
【図６Ｃ】ＢＳ法（binary  splitting  scheme）に基づく近隣発見チャネルリソースの割り当てを示す例示的なスケジューリングマトリクスを示す。
【図６Ｄ】ＢＳ法（binary  splitting  scheme）に基づく近隣発見チャネルリソースの割り当てを示す例示的なスケジューリングマトリクスを示す。
【図７】無線ネットワークのＤ２Ｄ通信の制御された開始の例示的な方法のフローチャートである。
【図８】近隣発見信号の電力制御の例示的な方法のフローチャートである。
【発明を実施するための形態】
【０００９】
特定の実施形態では、及び以下に詳述するように、無線通信ネットワークは、無線装置に近隣発見を実行するよう指示するよう構成されても良く、近隣発見に基づき１又は複数の無線装置セットにＤ２Ｄ（device-to-device）通信を実行するよう命令しても良い。以下に詳述するように、無線通信ネットワークは、無線装置に、近隣発見信号を送信及び受信するよう指示しても良く、近隣発見信号に基づき１又は複数の無線装置セットにＤ２Ｄ通信を実行するよう指示しても良い。さらに、無線通信ネットワークは、近隣発見信号が他の無線信号と実質的に干渉しないように、近隣発見信号の電力を調整するよう構成されても良い。
【００１０】
Ｄ２Ｄ通信の実現は、無線装置自体の間、及び／又は無線装置と無線通信ネットワークのアクセスポイントとの間の低電力通信を可能にし得る。低電力通信は、Ｄ２Ｄ通信に参加する無線装置間の各周波数帯域の使用をローカライズすることにより、限られた周波数帯域の再利用を可能にし得る。
【００１１】
本開示の実施形態を、添付の図面を参照して以下に説明する。
【００１２】
図１は、本開示に従って配置される、無線装置間のＤ２Ｄ通信の開始を制御するよう構成される例示的な無線通信ネットワーク１００（以後、「ネットワーク１００」と表す）を示す。ネットワーク１００は、１又は複数のアクセスポイント１０２を介して１又は複数の無線装置１０４に無線通信サービスを提供するよう構成されても良い。無線通信サービスは、音声サービス、データサービス、メッセージングサービス、及び／又はそれらの任意の適切な組合せであっても良い。ネットワーク１００は、ＦＤＭＡ（Frequency  Division  Multiple  Access）ネットワーク、ＯＦＤＭＡ（Orthogonal  FDMA）ネットワーク、ＣＤＭＡ（Code  Division  Multiple  Access）ネットワーク、ＴＤＭＡ（Time  Division  Multiple  Access）ネットワーク、及び／又は任意の他の適切な無線通信ネットワークを含んでも良い。幾つかの実施形態では、ネットワーク１００は、第３世代（３Ｇ）無線通信ネットワーク及び／又は第４世代（４Ｇ）無線通信ネットワークとして構成されても良い。上述の又は他の実施形態では、ネットワーク１００は、ＬＴＥ（long  term  evolution）無線通信ネットワークとして構成されても良い。
【００１３】
アクセスポイント１０２は、任意の適切な無線通信ネットワーク通信ポイントであっても良く、例として基地局、ｅＮＢ（evolved  node  B）基地局、ＲＲＨ（remote  radio  head）、又は任意の他の適切な通信ポイントを含んでも良いが、これらに限定されない。無線装置１０４は、無線通信サービスを得るためにネットワーク１００を使用し得る任意の装置を有しても良く、例として限定ではなく、携帯電話機、スマートフォン、ＰＤＡ（personal  data  assistant）、ラップトップコンピュータ、パーソナルコンピュータ、タブレットコンピュータ、又は任意の他の類似の装置を含み得る。
【００１４】
幾つかの実施形態では、上述のように、ネットワーク１００は、無線装置１０４間のＤ２Ｄ通信を管理するよう構成されても良い。上述の実施形態のうちの幾つかでは、アクセスポイント１０２は、近隣の無線装置１０４がＤ２Ｄ通信を実行するＤ２Ｄペアとして一緒に結合され得るように、近隣の無線装置１０４の発見を指示するよう構成されても良い。用語「近隣」及び「近隣の」無線装置は、互いに対して同一の大まかな近辺に存在する無線装置を表しても良い。これらの用語は、互いに直接に隣接する無線装置、又は特定の無線装置の最近傍の無線装置若しくは複数の無線装置に限定されない。
【００１５】
例えば、無線装置１０４ａは、無線装置１０４ａがアクセスポイント１０２により提供される地理的領域（「セル」としても表される）に入るのに応答して、アクセスポイント１０２とネットワークエントリ手順を実行するよう構成されても良い。さらに、ネットワークエントリ手順の最中又は後に、無線装置１０４ａは、無線装置１０４ａが別の無線装置１０４とのＤ２Ｄ通信に参加可能である及び／又はそれに参加することを望むか否かをシグナリングするよう構成されても良い。無線装置１０４ｂは、同様の動作を実行するよう構成されても良い。
【００１６】
アクセスポイント１０２は、無線装置１０４ａ及び１０４ｂが彼らがＤ２Ｄ通信に参加可能であり及び参加したいと望むことを示すとき、近隣発見に参加するよう無線装置１０４ａ及び１０４ｂに命令するよう構成されても良い。例えば、アクセスポイント１０２は、ＲＲＣ（radio  resource  control）シグナリングを実行するよう構成されても良い。ＲＲＣシグナリングで、アクセスポイント１０２は、無線装置１０４ａ及び／又は無線装置１０４ｂに、近隣発見信号を送信するよう命令しても良い。さらに、アクセスポイント１０２は、無線装置１０４ａ及び／又は無線装置１０４ｂに、近隣発見信号を傾聴するよう命令しても良い。
【００１７】
図示の例では、アクセスポイント１０２は、特定の時間及び周波数で、無線装置１０４ａに、近隣発見信号を送信するよう命令しても良く、無線装置１０４ｂに、近隣発見信号を傾聴するよう命令しても良い。したがって、図示の例では、無線装置１０４ａは「送信無線装置１０４ａ」として表され、無線装置１０４ｂは「受信無線装置１０４ｂ」として表されても良い。受信無線装置１０４ｂが送信無線装置１０４ａにより送信された近隣発見信号を受信する場合、受信無線装置は、送信無線装置１０４ａの発見された近隣として表されても良い。
【００１８】
図示の実施形態では、アクセスポイント１０２は、近隣発見信号の送信のスケジューリングを実行するよう構成されても良い。幾つかの実施形態では、アクセスポイント１０２は、近隣発見信号を送信するのに関連するパラメータを送信無線装置１０４ａに指示することにより、スケジューリングを実行するよう構成されても良い。さらに、アクセスポイント１０２は、受信無線装置１０４ｂに、該パラメータに基づき近隣発見信号を傾聴するよう命令するよう構成されても良い。
【００１９】
パラメータは、近隣発見信号を送信するために使用され得る近隣発見信号チャネル（以後「発見チャネル」と表す）、近隣発見信号を送信するために使用され得る発見チャネルリソース（例えば、タイムスロット、周波数、等）、近隣発見信号の送信シーケンス、近隣発見信号の送信電力、及び／又は近隣発見信号の送信が繰り返されるべきか否か、を有しても良い。幾つかの実施形態では、発見チャネルは、ＳＲＳ（sounding  reference  signal）チャネルのようなチャネルであっても良く、又は以下に詳細に開示するような本開示に従って構成され得るＰＮＤＣＨ（physical  neighbor  discovery  channel）であっても良い。さらに、幾つかの実施形態では、アクセスポイント１０２は、以下に記載のような方法で近隣発見信号の送信電力を決定しても良い。
【００２０】
パラメータは、送信無線装置１０４ａ及び受信無線装置１０４ｂのための、アクセスポイント１０２に関連する識別子に基づき又はアクセスポイント１０２により割り当てられた暫定識別子に基づき、近隣発見信号をそれぞれ送信及び傾聴する命令も有しても良い。幾つかの実施形態では、識別子は、アクセスポイント１０２に関連するＲＮＴＩ（radio  network  temporary  identifier）であっても良い。識別子は、識別子に関連する信号パターンに従って近隣発見信号を送信するために、送信無線装置１０４ａにより使用されても良い。さらに、受信無線装置１０４ｂは、識別子の信号パターンに基づき近隣発見信号を認識するために、識別子を用いても良い。
【００２１】
送信無線装置１０４ａは、アクセスポイント１０２から近隣発見信号を送信する命令を受信するのに応答して、受信したパラメータに基づき近隣発見信号を送信するよう構成されても良い。さらに、受信無線装置１０４ｂは、アクセスポイント１０２から受信したパラメータに従って、近隣発見信号を傾聴するよう構成されても良い。例えば、送信無線装置１０４ａは、アクセスポイント１０２から送信無線装置１０４ａにより受信されたパラメータにより示されるようなアクセスポイント１０２に関連するＲＮＴＩを用いて、特定のタイムスロット、周波数、及び信号電力で、ＰＮＤＣＨにより近隣発見信号を送信しても良い。受信無線装置１０４ｂは、アクセスポイント１０２から受信無線装置１０４ｂにより受信されたパラメータにより示されるような、特定の送信シーケンスの中でＰＮＤＣＨを介して送信される信号を傾聴することにより、近隣発見信号を傾聴するよう構成されても良い。
【００２２】
受信無線装置１０４ｂは、受信無線装置１０４ｂにより受信されるような近隣発見信号に関連する近隣発見信号情報を決定するよう構成されても良い。例えば、受信無線装置１０４ｂは、受信無線装置１０４ｂにより受信された近隣発見信号の、近隣発見信号に関連する発見チャネルリソース（例えば、周波数及びタイムスロット）、受信信号強度、ＳＮＲ（signal-to-noise  ratio）、等を決定するよう構成されても良い。
【００２３】
受信無線装置１０４ｂは、アクセスポイント１０２に近隣発見信号情報を通信するよう構成されても良い。例えば、受信無線装置１０４ｂは、アクセスポイント１０２に、受信無線装置１０４ｂにより受信された近隣発見信号に関連する発見チャネルリソース（例えば、周波数及びタイムスロット）の指示、及び受信無線装置１０４ｂにより測定された近隣発見信号のＲＳＳＩ（received  signal  strength  indicator）を通信するよう構成されても良い。
【００２４】
アクセスポイント１０２は、受信無線装置１０４ｂからアクセスポイント１０２により受信され得る近隣発見信号情報に基づき、送信無線装置１０４ａ及び受信無線装置１０４ｂの近接情報を決定するよう構成されても良い。近接情報は、送信無線装置１０４ａと受信無線装置１０４ｂとの間の距離を示しても良い。近接情報は、送信無線装置１０４ａと受信無線装置１０４ｂとの間の経路損失も示しても良い。
【００２５】
さらに、幾つかの実施形態では、アクセスポイント１０２は、送信無線装置１０４ａが、近隣発見信号情報に含まれる発見チャネルリソース情報に基づき、受信無線装置１０４ｂから受信された近隣発見信号情報に関連する近隣発見信号を送信したことを決定するよう構成されても良い。
【００２６】
例えば、上述のように、近隣発見信号情報は、近隣発見信号に関連するタイムスロット及び周波数のような発見チャネルリソース情報を有しても良い。アクセスポイント１０２は、送信無線装置１０４ａが、近隣発見信号情報に含まれるタイムスロット及び周波数に関連することを決定するよう構成されても良い。したがって、アクセスポイント１０２は、送信無線装置１０４ａが、受信無線装置１０４ｂにより受信された近隣発見信号を送信した無線装置だったと決定しても良い。さらに、アクセスポイント１０２は、受信無線装置１０４ｂが送信無線装置１０４ａが近隣発見信号を送信したことを知らずに、受信無線装置１０４ｂが送信無線装置１０４ａから近隣発見信号を受信したことを決定するよう構成されても良い。この構成は、送信無線装置１０４ａの位置及びグローバル識別情報を受信無線装置１０４ｂ及び／又はネットワーク１００の他の無線装置１０４に利用可能にさせることなく、アクセスポイント１０２による送信無線装置１０４ａ及び受信無線装置１０４ｂの近接情報の決定を可能にし得る。
【００２７】
アクセスポイント１０２は、送信無線装置１０４ａ及び受信無線装置１０４ｂの近接情報を、ネットワーク１００のネットワーク制御ユニット１０１に報告するよう構成されても良い。幾つかの実施形態では、ネットワーク制御ユニット１０１は、アクセスポイント１０２と共に含まれ及びアクセスポイント１０２にあっても良い。他の実施形態では、ネットワーク制御ユニット１０１は、アクセスポイント１０２から離れていても良い。ネットワーク制御ユニット１０１は、ネットワーク１００のコアネットワークのコアネットワークアーキテクチャに関連しても良く、コアネットワークプロトコルに関連する動作を実行するよう構成されても良い。例えば、ネットワーク制御ユニット１０１は、ＬＴＥコアネットワークのＭＭＥ（Mobility  Management  Entity）、ＳＧＷ（Serving  Gateway）、又はＰＧＷ（Packet  Gateway）と共に含まれても良い。
【００２８】
近接情報に基づき、ネットワーク制御ユニット１０１は、送信無線装置１０４ａ及び受信無線装置１０４ｂが互いにＤ２Ｄ通信に参加するために十分な範囲内にいるか否かを決定するよう構成されても良い。ネットワーク制御ユニット１０１が、送信無線装置１０４ａ及び受信無線装置１０４ｂがＤ２Ｄ通信に参加するのに十分な範囲内にいると決定した場合、ネットワーク制御ユニット１０１は、アクセスポイント１０２に、送信無線装置１０４ａと受信無線装置１０４ｂとの間でＤ２Ｄ通信を開始するよう命令しても良い。アクセスポイント１０２は、また、送信無線装置１０４ａ及び受信無線装置１０４ｂに、Ｄ２Ｄ通信を開始し及びそれに参加するよう命令しても良い。
【００２９】
本開示の範囲から逸脱することなく図１に対し変更、追加又は省略が行われても良い。例えば、ネットワーク１００は、任意の数のアクセスポイント１０２及び無線装置１０４を有しても良い。さらに、ネットワーク１００に関して、任意の数のＤ２Ｄペアが発見され開始されても良い。さらに、送信無線装置１０４ａ及び／又は受信無線装置１０４ｂは、他のＤ２Ｄペアに含まれても良い。また、上述のように、発見を実行するために用いられる発見チャネルは、ＰＮＤＣＨであっても良い。幾つかの実施形態では、ＰＮＤＣＨは、ほぼ同時に近隣発見信号を送信するよう構成された無線装置１０４が、異なるときにも近隣発見信号を送信するよう構成され得るように、構成されても良い。ＰＮＤＣＨは、近隣発見信号を送信する無線装置１０４が実質的に同時に近隣発見信号を送信している他の無線装置１０４から近隣発見信号を受信できないために、どの無線装置１０４が近隣発見信号をほぼ同時に送信するかを変更するよう構成されても良い。
【００３０】
さらに、時々、アクセスポイント１０２は、無線装置１０４ａ及び１０４ｂの両方に、ほぼ同時に、近隣発見信号を傾聴するよう又は近隣発見信号を送信するよう命令しても良い。さらに、他のときに、アクセスポイント１０２は、無線装置１０４ｂに、近隣発見信号を送信するよう命令しても良く、一方で、無線装置１０４ｂが近隣発見信号を送信している間に、無線装置１０４ａに、近隣発見信号を傾聴するよう命令しても良い。したがって、「送信」無線装置１０４ａ及び「受信」無線装置１０４ｂは、様々なときに、それらの役割を変更しても良い。
【００３１】
図２は、本開示に従って配置される、ＰＮＤＣＨリソースの構成を示す例示的なスケジューリングマトリクス２００を示す。マトリクス２００は、図１の無線装置１０４のグループのような無線装置グループのためにＰＮＤＣＨリソースをスケジューリングするために用いられても良い。マトリクス２００は、列２０２ａ−２０２ｄ、及び行２０４ａ−２０４ｄを有しても良い。列２０２ａ−２０２ｄは、マトリクス２００に関連するグループの無線装置が近隣発見信号を送信するために割り当てられ得る異なるタイムスロットを表しても良い。したがって、列２０２ａ−２０２ｄの数は、近隣発見ラウンドのなかで近隣発見信号を送信するためにマトリクス２００に関連する無線装置のグル―プにより使用され得るタイムスロットの数を示す。
【００３２】
行２０４ａ−２０４ｄは、無線装置グループの無線装置が近隣発見信号を通信するために割り当てられ得る異なる周波数を表しても良い。幾つかの実施形態では、異なる周波数は、特定の周波数範囲の中の連続する周波数であっても良い別個の周波数であっても良い。上述又は他の実施形態では、周波数のうちの１又は複数は、連続せず、広い周波数範囲又は帯域幅の中で分離し分散しても良い。したがって、行２０４ａ−２０４ｄの数は、周波数の数、したがって各タイムスロットの中で近隣発見信号を送信し得る無線装置の数を示しても良い。
【００３３】
マトリクス２００に関連する無線装置のグループの各無線装置は、マトリクス２００の要素２０６ａ−２０６ｐのうちの１つに割り当てられても良い。各要素２０６は、該要素に割り当てられた無線装置が対応する近隣発見信号を送信するために使用できる周波数及びタイムスロットを示しても良い。したがって、マトリクス２００の各要素２０６は、関連する近隣発見信号の送信のためにマトリクス２００に関連する無線装置のグループの無線装置に割り当てられ得るタイムスロット及び周波数を含み得るＰＮＤＣＨリソースを表しても良い。例えば、マトリクス２００の要素２０６ａは、行２０４ａに関連する第１の周波数（Ｆｒｅｑ．１）を介して、列２０２ａに関連する第１のタイムスロット（Ｓｌｏｔ１）で、近隣発見信号を送信することに関連するＰＮＤＣＨリソースを示しても良い。したがって、要素２０６ａに割り当てられた無線装置は、第１の周波数を介して及び第１のタイムスロットの間に、近隣発見信号を送信するために割り当てられても良い。他の実施形態では、タイムスロットは、マトリクス２００の行２０４ａ−２０４ｄにより表されても良く、周波数は、マトリクス２００の列２０２ａ−２０２ｄにより表されても良い。
【００３４】
上述のように、幾つかの実施形態では、所与のタイムスロットで近隣発見信号を送信するようスケジューリングされる無線装置は、同じタイムスロットの間に別の無線装置により送信される近隣発見信号を受信することができない。したがって、幾つかの実施形態では、無線装置のうちの１又は複数は、近隣発見の１つのラウンド（「近隣発見ラウンド」として表される）の間に無線装置のセットにより共有される１つのタイムスロットに割り当てられても良く、次に、近隣発見の別のラウンドの間に無線装置の別のセットにより共有される別のタイムスロットに割り当てられても良い。複数の近隣発見ラウンドの包含、及び近隣発見ラウンド間の無線装置に割り当てられたタイムスロットの関連するシャッフルは、無線装置が近隣発見ラウンドのうちの１つの最中に同じタイムスロットを与えられた場合でも、マトリクス２００に関連するグループの中の無線装置に互いを発見させることができる。
【００３５】
さらに、幾つかの例では、１又は複数の無線装置に割り当てられた周波数は、近隣発見ラウンド毎に変更されても良い。送信無線装置から受信無線装置により受信された近隣発見信号の品質は、どの周波数で、近隣発見信号が送信されているかに基づいても良い場合がある。したがって、送信無線装置が近隣発見信号を送信し得る周波数を変更することは、受信無線装置により受信される近隣発見信号の品質を向上させ得る。以下に記載される図４Ａ及び４Ｂは、タイムスロット及び周波数割り当てのシフトに基づき、タイムスロット及び周波数割り当てをシャッフルする一例を示す。
【００３６】
図３Ａ及び３Ｂは、本開示に従って配置される、タイムスロット割り当てシフトに基づく、無線装置（図３Ａ及び３Ｂの無線装置ＷＤ１−ＷＤ１６として示される）のグループへのＰＮＤＣＨリソースの割り当てを示す、それぞれ例示的なスケジューリングマトリクス３００ａ及び３００ｂを示す。図示の実施形態では、及び図２のスケジューリングマトリクス２００と同様に、スケジューリングマトリクス３００ａ及び３００ｂは、列３０２ａ−３０２ｄ及び行３０４ａ−３０４ｄを有しても良い。列３０２ａ−３０２ｄは、無線装置ＷＤ１−ＷＤ１６が近隣発見信号を送信するために割り当てられ得る異なるタイムスロットを表しても良い。行３０４ａ−３０４ｄは、無線装置ＷＤ１−ＷＤ１６が近隣発見信号を通信するために割り当てられ得る異なる周波数を表しても良い。
【００３７】
図示の実施形態では、スケジューリングマトリクス３００ａは、無線装置ＷＤ１−ＷＤ１６が第１の近隣発見ラウンドの間（図３Ａの「ラウンド１」として示される）に近隣発見信号を送信し得る周波数及びタイムスロット割り当てを示しても良い。したがって、無線装置ＷＤ１−ＷＤ１６の各々は、スケジューリングマトリクス３００ａの要素３０６ａ−３０６ｐのうちの１つに割り当てられ、第１の近隣発見ラウンドの間に近隣発見信号を送信するために無線装置ＷＤ１−ＷＤ１６の各々が特定のＰＮＤＣＨリソース（例えば、タイムスロット及び送信周波数）を割り当てられるようにしても良い。
【００３８】
幾つかの実施形態では、第２の近隣発見ラウンド（図３Ｂの「ラウンド２」として示される）も、近隣発見信号を送信するために用いられても良い。無線装置ＷＤ１−ＷＤ１６のうちの１又は複数は、第１及び第２の近隣発見ラウンドで異なるタイムスロットを割り当てられ、第１の近隣発見ラウンドで同じタイムスロットを共有する得無線装置ＷＤ１−ＷＤ１６のうちの各々が第２の近隣発見ラウンドで同じタイムスロットを共有しないようにしても良い。図３Ｂの図示の実施形態では、スケジューリングマトリクス３００ｂは、第２の近隣発見ラウンドに関連する無線装置ＷＤ１−ＷＤ１６のＰＮＤＣＨリソース割り当てを表しても良い。
【００３９】
図３Ａ及び３Ｂで、第１の近隣発見ラウンドから第２の近隣発見ラウンドへのタイムスロット割り当ての変更は、無線装置ＷＤ１−ＷＤ１６のタイムスロット割り当ての巡回シフトを通じて達成されても良い。スケジューリングマトリクス３００ａ及び３００ｂの図示の実施形態では、タイムスロット割り当ての巡回シフトを生成するために、第１の周波数「Ｆｒｅｑ．１」を割り当てられた無線装置は、スケジューリングマトリクス３００ａからスケジューリングマトリクス３００ｂへのそれらの個々のタイムスロットを維持しても良く、第２の周波数「Ｆｒｅｑ．２」を割り当てられた無線装置は、スケジューリングマトリクス３００ａのそれらの割り当てられたタイムスロットに対して、スケジューリングマトリクス３００ｂで１タイムスロットシフトしても良く、第３の周波数「Ｆｒｅｑ．３」を割り当てられた無線装置は、スケジューリングマトリクス３００ａのそれらの割り当てられたタイムスロットに対して、スケジューリングマトリクス３００ｂで同じ方向に２タイムスロットシフトしても良く、第４の周波数「Ｆｒｅｑ．４」を割り当てられた無線装置は、スケジューリングマトリクス３００ａのそれらの割り当てられたタイムスロットに対して、スケジューリングマトリクス３００ｂで同じ方向に３タイムスロットシフトしても良い。
【００４０】
例えば、第１の近隣発見ラウンドでは、スケジューリングマトリクス３００ａにより示されるように、無線装置ＷＤ１、ＷＤ２、ＷＤ３及びＷＤ４は第１の周波数「Ｆｒｅｑ．１」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。また、無線装置ＷＤ５、ＷＤ６、ＷＤ７及びＷＤ８は第２の周波数「Ｆｒｅｑ．２」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。さらに、無線装置ＷＤ９、ＷＤ１０、ＷＤ１１及びＷＤ１２は第３の周波数「Ｆｒｅｑ．３」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。そして、無線装置ＷＤ１３、ＷＤ１４、ＷＤ１５及びＷＤ１６は第４の周波数「Ｆｒｅｑ．４」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。したがって、スケジューリングマトリクス３００ａ（したがって、第１の近隣発見ラウンド）では、無線装置ＷＤ１、ＷＤ５、ＷＤ９及びＷＤ１３は、第１のタイムスロット「Ｓｌｏｔ１」を共有し、無線装置ＷＤ２、ＷＤ６、ＷＤ１０及びＷＤ１４は、第２のタイムスロット「Ｓｌｏｔ２」を共有し、無線装置ＷＤ３、ＷＤ７、ＷＤ１１及びＷＤ１５は、第３のタイムスロット「Ｓｌｏｔ３」を共有し、無線装置ＷＤ４、ＷＤ８、ＷＤ１２及びＷＤ１６は、第４のタイムスロット「Ｓｌｏｔ４」を共有しても良い。
【００４１】
第２の近隣発見ラウンドでは、スケジューリングマトリクス３００ｂにより示されるように、無線装置ＷＤ１、ＷＤ２、ＷＤ３及びＷＤ４は依然として第１の周波数「Ｆｒｅｑ．１」に割り当てられても良く、無線装置ＷＤ５、ＷＤ６、ＷＤ７及びＷＤ８は依然として第２の周波数「Ｆｒｅｑ．２」に割り当てられても良く、無線装置ＷＤ９、ＷＤ１０、ＷＤ１１及びＷＤ１２は依然として第３の周波数「Ｆｒｅｑ．３」に割り当てられても良く、無線装置ＷＤ１３、ＷＤ１４、ＷＤ１５及びＷＤ１６は依然として第４の周波数「Ｆｒｅｑ．４」に割り当てられても良い。さらに、無線装置ＷＤ１、ＷＤ２、ＷＤ３及びＷＤ４は、依然としてそれぞれタイムスロット「Ｓｌｏｔ１」、「Ｓｌｏｔ２」、「Ｓｌｏｔ３」及び「Ｓｌｏｔ４」に割り当てられても良い。
【００４２】
しかしながら、無線装置ＷＤ５、ＷＤ６、ＷＤ７及びＷＤ８は、スケジューリングマトリクス３００ａに対して、スケジューリングマトリクス３００ｂで１タイムスロットだけシフトされて、無線装置ＷＤ５、ＷＤ６、ＷＤ７及びＷＤ８が、スケジューリングマトリクス３００ｂで、それぞれタイムスロット「Ｓｌｏｔ４」、「Ｓｌｏｔ１」、「Ｓｌｏｔ２」及び「Ｓｌｏｔ３」に割り当てられるようにしても良い。さらに、無線装置ＷＤ９、ＷＤ１０、ＷＤ１１及びＷＤ１２は、スケジューリングマトリクス３００ａに対して、スケジューリングマトリクス３００ｂで２タイムスロットだけシフトされて、無線装置ＷＤ９、ＷＤ１０、ＷＤ１１及びＷＤ１２が、スケジューリングマトリクス３００ｂで、それぞれタイムスロット「Ｓｌｏｔ３」、「Ｓｌｏｔ４」、「Ｓｌｏｔ１」及び「Ｓｌｏｔ２」に割り当てられるようにしても良い。さらに、無線装置ＷＤ１３、ＷＤ１４、ＷＤ１５及びＷＤ１６は、スケジューリングマトリクス３００ａに対して、スケジューリングマトリクス３００ｂで３タイムスロットだけシフトされて、無線装置ＷＤ１３、ＷＤ１４、ＷＤ１５及びＷＤ１６が、スケジューリングマトリクス３００ｂで、それぞれタイムスロット「Ｓｌｏｔ２」、「Ｓｌｏｔ３」、「Ｓｌｏｔ４」及び「Ｓｌｏｔ１」に割り当てられるようにしても良い。
【００４３】
したがって、スケジューリングマトリクス３００ｂでは、無線装置ＷＤ１、ＷＤ６、ＷＤ１１及びＷＤ１６は第１のタイムスロット「Ｓｌｏｔ１」を共有しても良く、無線装置ＷＤ２、ＷＤ７、ＷＤ１２及びＷＤ１３は第２のタイムスロット「Ｓｌｏｔ２」を共有しても良く、無線装置ＷＤ３、ＷＤ８、ＷＤ９及びＷＤ１４は第３のタイムスロット「Ｓｌｏｔ３」を共有しても良く、無線装置ＷＤ４、ＷＤ５、ＷＤ１０及びＷＤ１５は第４のタイムスロット「Ｓｌｏｔ４」を共有しても良い。上述のように、スケジューリングマトリクス３００ａでは、無線装置ＷＤ１、ＷＤ５、ＷＤ９及びＷＤ１３は、第１のタイムスロット「Ｓｌｏｔ１」を共有し、無線装置ＷＤ２、ＷＤ６、ＷＤ１０及びＷＤ１４は、第２のタイムスロット「Ｓｌｏｔ２」を共有し、無線装置ＷＤ３、ＷＤ７、ＷＤ１１及びＷＤ１５は、第３のタイムスロット「Ｓｌｏｔ３」を共有し、無線装置ＷＤ４、ＷＤ８、ＷＤ１２及びＷＤ１６は、第４のタイムスロット「Ｓｌｏｔ４」を共有しても良い。したがって、同じ無線装置は、スケジューリングマトリクス３００ａ及び３００ｂの中で同じタイムスロットを共有しないので、同じ無線装置は、それぞれスケジューリングマトリクス３００ａ及び３００ｂに関連する第１及び第２の近隣発見ラウンドにおいて、同時に近隣発見信号を送信し得ない。
【００４４】
本開示の範囲から逸脱することなくスケジューリングマトリクス３００ａ及び３００ｂに対し変更が行われても良い。例えば、列の数３０２（したがって、タイムスロットの数）及び／又は行３０４の数（したがって、周波数の数）は変わっても良い。さらに、巡回タイムシフトを実行する方法は、記載のものと異なっても良い。例えば、無線装置がタイムスロット割り当てをシフトされるタイムスロット数及び方向は、変化しても良い。さらに、幾つかの実施形態では、タイムスロットは、スケジューリングマトリクス３００ａ及び３００ｂの行３０４ａ−３０４ｄにより表されても良く、周波数は、スケジューリングマトリクス３００ａ及び３００ｂの列３０２ａ−３０２ｄにより表されても良い。
【００４５】
図４Ａ及び４Ｂは、それぞれ、本開示に従って配置される、タイムスロット及び周波数割り当てシフトに基づく無線装置ＷＤ１−ＷＤ１６へのＰＮＤＣＨリソースの割り当てを示す例示的なスケジューリングマトリクス４００ａ及び４００ｂを示す。図示の実施形態では、及び図２のスケジューリングマトリクス２００と同様に、スケジューリングマトリクス４００ａ及び４００ｂは、列４０２ａ−４０２ｄ及び行４０４を有しても良い。列４０２ａ−４０２ｄは、無線装置ＷＤ１−ＷＤ１６が近隣発見信号を送信するために割り当てられ得る異なるタイムスロットを表しても良い。行４０４ａ−４０４ｄは、無線装置ＷＤ１−ＷＤ１６がそれら個々の近隣発見信号を通信するために割り当てられ得る異なる周波数を表しても良い。
【００４６】
図示の実施形態では、及び図３Ａのスケジューリングマトリクス３００ａと同様に、スケジューリングマトリクス４００ａは、無線装置ＷＤ１−ＷＤ１６が、スケジューリングマトリクス４００ａの要素４０６ａ−４０６ｐのうちの１つに無線装置ＷＤ１−ＷＤ１６の各々を割り当てることにより、第１の近隣発見ラウンド（図４Ａに「ラウンド１」として示す）中に近隣発見信号を送信できる周波数及びタイムスロット割り当てを示しても良い。さらに、図３Ｂのスケジューリングマトリクス３００ｂと同様に、スケジューリングマトリクス４００ｂは、無線装置ＷＤ１−ＷＤ１６が、スケジューリングマトリクス４００ｂの要素４０６ａ−４０６ｐのうちの１つに無線装置ＷＤ１−ＷＤ１６の各々を割り当てることにより、第２の近隣発見ラウンド（図４Ｂに「ラウンド２」として示す）中に近隣発見信号を送信できる周波数及びタイムスロット割り当てを示しても良い。
【００４７】
図４Ａ及び４Ｂで、図３Ａ及び３Ｂに関して説明したタイムスロット割り当ての巡回シフトと同様に、第１の近隣発見ラウンドから第２の近隣発見ラウンドへのタイムスロット割り当ての変更は、無線装置ＷＤ１−ＷＤ１６のタイムスロット割り当ての巡回シフトを通じて達成されても良い。しかしながら、図３Ａ及び３Ｂとは異なり、無線装置ＷＤ１−ＷＤ１６のうちの１又は複数は、スケジューリングマトリクス４００ａにおけるそれらの割り当てられた周波数に対して、スケジューリングマトリクス４００ｂにおいて異なる周波数を割り当てられても良い。上述のように、周波数割り当ての変更は、幾つかの周波数が他の周波数よりも少ない、無線装置ＷＤ１−ＷＤ１６のうちのある無線装置から別の無線装置への経路損失を経験し得るので、近隣発見信号通信の向上を可能にし得る。
【００４８】
スケジューリングマトリクス４００ａ及び４００ｂの図示の実施形態では、及びそれぞれ図３Ａ及び３Ｂのスケジューリングマトリクス３００ａ及び３００ｂに関して上述したのと同様に、タイムスロットにおける巡回シフトを生じるために、スケジューリングマトリクス４００ａで第１の周波数「Ｆｒｅｑ．１」を割り当てられた無線装置は、スケジューリングマトリクス４００ａからスケジューリングマトリクス４００ｂへとそれら個々のタイムスロットを維持しても良く、スケジューリングマトリクス４００ａで第２の周波数「Ｆｒｅｑ．２」を割り当てられた無線装置は、スケジューリングマトリクス４００ａでそれらに割り当てられたタイムスロットに対してスケジューリングマトリクス４００ｂにおいて１タイムスロットだけシフトしても良く、スケジューリングマトリクス４００ａで第３の周波数「Ｆｒｅｑ．３」を割り当てられた無線装置は、スケジューリングマトリクス４００ａでそれらに割り当てられたタイムスロットに対してスケジューリングマトリクス４００ｂにおいて２タイムスロットだけシフトしても良く、スケジューリングマトリクス４００ａで第４の周波数「Ｆｒｅｑ．４」を割り当てられた無線装置は、スケジューリングマトリクス４００ａでそれらに割り当てられたタイムスロットに対してスケジューリングマトリクス４００ｂにおいて３タイムスロットだけシフトしても良い。
【００４９】
しかしながら、スケジューリングマトリクス３００ａ及び３００ｂと異なり、スケジューリングマトリクス４００ａ及び４００ｂでは、スケジューリングマトリクス４００ｂで第１のタイムスロット「Ｓｌｏｔ１」を割り当てられた無線装置は、１の周波数シフトに基づき、スケジューリングマトリクス４００ａにおいてそれらに割り当てられた周波数に対して、スケジューリングマトリクス４００ｂにおいて異なる周波数に割り当てられても良い。スケジューリングマトリクス４００ｂで第２のタイムスロット「Ｓｌｏｔ２」に割り当てられた無線装置は、２の周波数シフトに基づき、スケジューリングマトリクス４００ｂにおけるそれらの周波数割り当てに対して、スケジューリングマトリクス４００ｂにおいて異なる周波数に割り当てられても良い。スケジューリングマトリクス４００ｂで第３のタイムスロット「Ｓｌｏｔ３」に割り当てられた無線装置は、３の周波数シフトに基づき、スケジューリングマトリクス４００ａにおけるそれらの周波数割り当てに対して、スケジューリングマトリクス４００ｂで異なる周波数に割り当てられても良い。そして、スケジューリングマトリクス４００ｂで第４のタイムスロット「Ｓｌｏｔ４」に割り当てられた無線装置は、スケジューリングマトリクス４００ａにおけるそれらの周波数割り当てに対して、スケジューリングマトリクス４００ｂでそれらの同じ周波数に割り当てられても良い。このように、周波数シフトは、それぞれスケジューリングマトリクス４００ａ及び４００ｂに関連する第１及び第２の近隣発見ラウンドの間で、周波数割り当ての変化を生じ得る。
【００５０】
例えば、第１の近隣発見ラウンドでは、スケジューリングマトリクス４００ａにより示されるように、及び図３Ａのスケジューリングマトリクス３００ａと同様に、無線装置ＷＤ１、ＷＤ２、ＷＤ３及びＷＤ４は第１の周波数「Ｆｒｅｑ．１」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。また、無線装置ＷＤ５、ＷＤ６、ＷＤ７及びＷＤ８は第２の周波数「Ｆｒｅｑ．２」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。さらに、無線装置ＷＤ９、ＷＤ１０、ＷＤ１１及びＷＤ１２は第３の周波数「Ｆｒｅｑ．３」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。そして、無線装置ＷＤ１３、ＷＤ１４、ＷＤ１５及びＷＤ１６は第４の周波数「Ｆｒｅｑ．４」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。したがって、スケジューリングマトリクス４００ａでは、無線装置ＷＤ１、ＷＤ５、ＷＤ９及びＷＤ１３は、第１のタイムスロット「Ｓｌｏｔ１」を共有し、無線装置ＷＤ２、ＷＤ６、ＷＤ１０及びＷＤ１４は、第２のタイムスロット「Ｓｌｏｔ２」を共有し、無線装置ＷＤ３、ＷＤ７、ＷＤ１１及びＷＤ１５は、第３のタイムスロット「Ｓｌｏｔ３」を共有し、無線装置ＷＤ４、ＷＤ８、ＷＤ１２及びＷＤ１６は、第４のタイムスロット「Ｓｌｏｔ４」を共有しても良い。
【００５１】
第２の近隣発見ラウンドでは、スケジューリングマトリクス４００ｂにより示すように、及び図３Ｂのスケジューリングマトリクス３００ｂと同様に、無線装置ＷＤ１、ＷＤ２、ＷＤ３及びＷＤ４は、依然として、それぞれスケジューリングマトリクス４００ｂにおいてタイムスロット「Ｓｌｏｔ１」、「Ｓｌｏｔ２」、「Ｓｌｏｔ３」及び「Ｓｌｏｔ４」に割り当てられても良い。さらに、無線装置ＷＤ５、ＷＤ６、ＷＤ７及びＷＤ８は、スケジューリングマトリクス４００ａに対して、スケジューリングマトリクス４００ｂで１タイムスロットだけシフトされて、無線装置ＷＤ５、ＷＤ６、ＷＤ７及びＷＤ８が、スケジューリングマトリクス４００ｂで、それぞれタイムスロット「Ｓｌｏｔ４」、「Ｓｌｏｔ１」、「Ｓｌｏｔ２」及び「Ｓｌｏｔ３」に割り当てられるようにしても良い。さらに、無線装置ＷＤ９、ＷＤ１０、ＷＤ１１及びＷＤ１２は、スケジューリングマトリクス４００ａに対して、スケジューリングマトリクス４００ｂで２タイムスロットだけシフトされて、無線装置ＷＤ９、ＷＤ１０、ＷＤ１１及びＷＤ１２が、スケジューリングマトリクス４００ｂで、それぞれタイムスロット「Ｓｌｏｔ３」、「Ｓｌｏｔ４」、「Ｓｌｏｔ１」及び「Ｓｌｏｔ２」に割り当てられるようにしても良い。さらに、無線装置ＷＤ１３、ＷＤ１４、ＷＤ１５及びＷＤ１６は、スケジューリングマトリクス４００ａに対して、スケジューリングマトリクス４００ｂで３タイムスロットだけシフトされて、無線装置ＷＤ１３、ＷＤ１４、ＷＤ１５及びＷＤ１６が、スケジューリングマトリクス４００ｂで、それぞれタイムスロット「Ｓｌｏｔ２」、「Ｓｌｏｔ３」、「Ｓｌｏｔ４」及び「Ｓｌｏｔ１」に割り当てられるようにしても良い。
【００５２】
さらに、スケジューリングマトリクス４００ｂで、スケジューリングマトリクス４００ｂのタイムスロット「Ｓｌｏｔ１」の無線装置ＷＤ１、ＷＤ６、ＷＤ１１及びＷＤ１６は、スケジューリングマトリクス４００ａにおけるそれらの割り当てられた周波数に対して、１つの周波数だけシフトされて、無線装置ＷＤ１、ＷＤ６、ＷＤ１１及びＷＤ１６が、それぞれスケジューリングマトリクス４００ｂにおいて周波数「Ｆｒｅｑ．２」、「Ｆｒｅｑ．３」、「Ｆｒｅｑ．４」及び「Ｆｒｅｑ．１」に割り当てられるようにしても良い。さらに、スケジューリングマトリクス４００ｂのタイムスロット「Ｓｌｏｔ２」の無線装置ＷＤ２、ＷＤ７、ＷＤ１２及びＷＤ１３は、スケジューリングマトリクス４００ａにおけるそれらの割り当てられた周波数に対して、２つの周波数だけシフトされて、無線装置ＷＤ２、ＷＤ７、ＷＤ１２及びＷＤ１３が、それぞれスケジューリングマトリクス４００ｂにおいて周波数「Ｆｒｅｑ．３」、「Ｆｒｅｑ．４」、「Ｆｒｅｑ．１」及び「Ｆｒｅｑ．２」に割り当てられるようにしても良い。また、スケジューリングマトリクス４００ｂのタイムスロット「Ｓｌｏｔ３」の無線装置ＷＤ３、ＷＤ８、ＷＤ９及びＷＤ１４は、スケジューリングマトリクス４００ａにおけるそれらの割り当てられた周波数に対して、３つの周波数だけシフトされて、無線装置ＷＤ２、ＷＤ８、ＷＤ９及びＷＤ１４が、それぞれスケジューリングマトリクス４００ｂにおいて周波数「Ｆｒｅｑ．４」、「Ｆｒｅｑ．１」、「Ｆｒｅｑ．２」及び「Ｆｒｅｑ．３」に割り当てられるようにしても良い。さらに、スケジューリングマトリクス４００ｂのタイムスロット「Ｓｌｏｔ４」の無線装置ＷＤ４、ＷＤ５、ＷＤ１０及びＷＤ１５は、スケジューリングマトリクス４００ｂでスケジューリングマトリクス４００ａと同じ周波数に割り当てられても良い。
【００５３】
したがって、スケジューリングマトリクス４００ａ及び４００ｂでは、同じ無線装置は、第１及び第２の近隣発見ラウンドにおいて、同じタイムスロット又は近隣発見信号周波数を共有し得ない。したがって、同じ無線装置は、それぞれスケジューリングマトリクス４００ａ及び４００ｂに関連する第１及び第２の近隣発見ラウンドにおいて、同じ時間に又は同じ周波数で近隣発見信号を送信し得ない。
【００５４】
本開示の範囲から逸脱することなくスケジューリングマトリクス４００ａ及び４００ｂに対し変更が行われても良い。例えば、列４０２の数（したがって、タイムスロットの数）及び／又は行４０４の数（したがって、周波数の数）は変わっても良い。さらに、巡回タイムシフト及び／又は周波数シフトを実行する方法は、記載のものと異なっても良い。例えば、無線装置がシフトされるタイムスロット又は周波数の数及び方向は、変化しても良い。さらに、幾つかの実施形態では、タイムスロットは、スケジューリングマトリクス４００ａ及び４００ｂの行４０４ａ−４０４ｄにより表されても良く、周波数は、スケジューリングマトリクス４００ａ及び４００ｂの列４０２ａ−４０２ｄにより表されても良い。
【００５５】
図５Ａ及び５Ｂは、それぞれ、本開示に従って配置される、行列転置に基づく無線装置ＷＤ１−ＷＤ１６へのＰＮＤＣＨリソースの割り当てを示す例示的なスケジューリングマトリクス５００ａ及び５００ｂを示す。図示の実施形態では、及び図２のスケジューリングマトリクス２００と同様に、スケジューリングマトリクス５００ａ及び５００ｂは、列５０２ａ−５０２ｄ及び行５０４ａ−５０４ｄを有しても良い。列５０２ａ−５０２ｄは、無線装置ＷＤ１−ＷＤ１６が近隣発見信号を送信するために割り当てられ得る異なるタイムスロットを表しても良い。行５０４ａ−５０４ｄは、無線装置ＷＤ１−ＷＤ１６がそれらの近隣発見信号を通信するために割り当てられ得る異なる周波数を表しても良い。
【００５６】
図示の実施形態では、及び図３Ａのスケジューリングマトリクス３００ａと同様に、スケジューリングマトリクス５００ａは、無線装置ＷＤ１−ＷＤ１６が、スケジューリングマトリクス５００ａの要素５０６ａ−５０６ｐのうちの１つに無線装置ＷＤ１−ＷＤ１６の各々を割り当てることにより、第１の近隣発見ラウンド（図５Ａに「ラウンド１」として示す）中に近隣発見信号を送信できる周波数及びタイムスロット割り当てを示しても良い。さらに、図３Ｂのスケジューリングマトリクス３００ｂと同様に、スケジューリングマトリクス５００ｂは、無線装置ＷＤ１−ＷＤ１６が、スケジューリングマトリクス５００ｂの要素５０６ａ−５０６ｐのうちの１つに無線装置ＷＤ１−ＷＤ１６の各々を割り当てることにより、第２の近隣発見ラウンド（図５Ｂに「ラウンド２」として示す）中に近隣発見信号を送信できる周波数及びタイムスロット割り当てを示しても良い。
【００５７】
図５Ａ及び５Ｂで、第１の近隣発見ラウンドから第２の近隣発見ラウンドへのタイムスロット及び周波数割り当ての変更は、スケジューリングマトリクス５００ｂを生成するためのスケジューリングマトリクス５００ａの転置を通じて達成されても良い。行列転置の間、行列の行は関連する転置行列の列として割り当てられ、行列の列は、関連する転置行列の行として割り当てられる。したがって、スケジューリングマトリクス５００ａ及び５００ｂの図示の実施形態では、スケジューリングマトリクス５００ａで第１のタイムスロット（Ｓｌｏｔ１）に割り当てられた無線装置は、スケジューリングマトリクス５００ｂで第１の周波数（Ｆｒｅｑ．１）に割り当てられても良く、スケジューリングマトリクス５００ａで第２のタイムスロット（Ｓｌｏｔ２）に割り当てられた無線装置は、スケジューリングマトリクス５００ｂで第２の周波数（Ｆｒｅｑ．２）に割り当てられても良く、スケジューリングマトリクス５００ａで第３のタイムスロット（Ｓｌｏｔ３）に割り当てられた無線装置は、スケジューリングマトリクス５００ｂで第３の周波数（Ｆｒｅｑ．３）に割り当てられても良く、スケジューリングマトリクス５００ａで第４のタイムスロット（Ｓｌｏｔ４）に割り当てられた無線装置は、スケジューリングマトリクス５００ｂで第４の周波数（Ｆｒｅｑ．４）に割り当てられても良い。
【００５８】
例えば、スケジューリングマトリクス５００ａでは、及び図３Ａのスケジューリングマトリクス３００ａと同様に、無線装置ＷＤ１、ＷＤ２、ＷＤ３及びＷＤ４は第１の周波数「Ｆｒｅｑ．１」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。また、無線装置ＷＤ５、ＷＤ６、ＷＤ７及びＷＤ８は第２の周波数「Ｆｒｅｑ．２」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。さらに、無線装置ＷＤ９、ＷＤ１０、ＷＤ１１及びＷＤ１２は第３の周波数「Ｆｒｅｑ．３」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。そして、無線装置ＷＤ１３、ＷＤ１４、ＷＤ１５及びＷＤ１６は第４の周波数「Ｆｒｅｑ．４」に割り当てられても良く、それぞれタイムスロット「Ｓｌｏｔ１」、「Ｓｌｏｔ２」、「Ｓｌｏｔ３」及び「Ｓｌｏｔ４」に割り当てられても良い。
【００５９】
スケジューリングマトリクス５００ｂを生成するためのスケジューリングマトリクス５００ａの転置は、無線装置ＷＤ１、ＷＤ２、ＷＤ３及びＷＤ４が、スケジューリングマトリクス５００ｂで第１のタイムスロット（Ｓｌｏｔ１）に割り当てられ及びそれぞれ周波数「Ｆｒｅｑ．１」、「Ｆｒｅｑ．２」、「Ｆｒｅｑ．３」及び「Ｆｒｅｑ．４」に割り当てられ、無線装置ＷＤ５、ＷＤ６、ＷＤ７及びＷＤ８が、スケジューリングマトリクス５００ｂで第２のタイムスロット（Ｓｌｏｔ２）に割り当てられ及びそれぞれ周波数「Ｆｒｅｑ．１」、「Ｆｒｅｑ．２」、「Ｆｒｅｑ．３」及び「Ｆｒｅｑ．４」に割り当てられ、無線装置ＷＤ９、ＷＤ１０、ＷＤ１１及びＷＤ１２が、スケジューリングマトリクス５００ｂで第３のタイムスロット（Ｓｌｏｔ３）に割り当てられ及びそれぞれ周波数「Ｆｒｅｑ．１」、「Ｆｒｅｑ．２」、「Ｆｒｅｑ．３」及び「Ｆｒｅｑ．４」に割り当てられ、無線装置ＷＤ１３、ＷＤ１４、ＷＤ１５及びＷＤ１６が、スケジューリングマトリクス５００ｂで第４のタイムスロット（Ｓｌｏｔ４）に割り当てられ及びそれぞれ周波数「Ｆｒｅｑ．１」、「Ｆｒｅｑ．２」、「Ｆｒｅｑ．３」及び「Ｆｒｅｑ．４」に割り当てられるようにしても良い。
【００６０】
したがって、スケジューリングマトリクス５００ａ及び５００ｂで、同じ無線装置は、同じタイムスロット又は近隣発見信号周波数を共有し得ない。したがって、スケジューリングマトリクス４００ａ及び４００ｂと同様に、同じ無線装置は、それぞれスケジューリングマトリクス５００ａ及び５００ｂに関連する第１及び第２の近隣発見ラウンドにおいて、同じ時間に又は同じ周波数で近隣発見信号を送信し得ない。
【００６１】
本開示の範囲から逸脱することなくスケジューリングマトリクス５００ａ及び５００ｂに対し変更が行われても良い。例えば、列５０２の数（したがって、タイムスロットの数）及び／又は行５０４の数（したがって、周波数の数）は変わっても良い。さらに、幾つかの実施形態では、タイムスロットは、スケジューリングマトリクス５００ａ及び５００ｂの行５０４ａ−５０４ｄにより表されても良く、周波数は、スケジューリングマトリクス５００ａ及び５００ｂの列５０２ａ−５０２ｄにより表されても良い。
【００６２】
図６Ａ〜６Ｄは、それぞれ、本開示に従って配置される、ＢＳ（binary  splitting）法に基づく無線装置ＷＤ１−ＷＤ１６へのＰＮＤＣＨリソースの割り当てを示す例示的なスケジューリングマトリクス６００ａ、６００ｂ、６００ｃ及び６００ｄを示す。図示の実施形態では、及び図２のスケジューリングマトリクス２００と同様に、スケジューリングマトリクス６００ａ〜６００ｄは、列６０２ａ−６０２ｄ及び行６０４ａ−６０４ｄを有しても良い。列６０２ａ−６０２ｄは、無線装置ＷＤ１−ＷＤ１６が近隣発見信号を送信するために割り当てられ得る異なるタイムスロットを表しても良い。行６０４ａ−６０４ｄは、無線装置ＷＤ１−ＷＤ１６がそれらの近隣発見信号を通信するために割り当てられ得る異なる周波数を表しても良い。図示の実施形態では、スケジューリングマトリクス６００ａ〜６００ｄは、無線装置ＷＤ１−ＷＤ１６の各々をスケジューリングマトリクス６００ａ〜６００ｄの要素６０６ａ〜６０６ｐのうちの１つに割り当てることにより、無線装置ＷＤ１−ＷＤ１６がそれぞれ第１、第２、第３、及び第４の近隣発見ラウンドの間に近隣発見信号を送信できる周波数及びタイムスロット割り当てを有しても良い。
【００６３】
図６Ａ〜６Ｄでは、近隣発見ラウンドの間のタイムスロット及び周波数割り当ての変化は、ＢＳ法を通じて達成されても良い。ＢＳ法は、無線装置ＷＤ１−ＷＤ１６が近隣発見ラウンドのうちの少なくとも１つの間に互いに発見できるように、無線装置ＷＤ１−ＷＤ１６のうちの異なる無線装置を、異なる近隣発見ラウンドの異なるタイムスロットに割り当てるために用いられても良い。さらに、ＢＳ法は、異なる近隣発見ラウンド中に無線装置ＷＤ１−ＷＤ１６のうちの異なる無線装置に異なる周波数を割り当てても良い。
【００６４】
ＢＳ法は、スケジューリングマトリクス６００ａ〜６００ｄにより示されるように、２つのタイムスロットに従う１つのグループの無線装置のスケジューリングに関連するスケジューリングマトリクスについて実行されても良い。第２の近隣発見ラウンドのタイムスロット及び周波数割り当てを生成するために、ＢＳ法は、第１の近隣発見ラウンドで第１のタイムスロットに割り当てられた個々の無線装置を、第１のタイムスロット無線装置の２つの等しい数のグループに分けても良い。ＢＳ法は、第１の近隣発見ラウンドで第２のタイムスロットに割り当てられた無線装置も、第２のタイムスロット無線装置の２つの等しい数のグループに分けても良い。第２の近隣発見ラウンドのタイムスロット及び周波数割り当てを生成するために、第１のタイムスロット無線装置の１つのグループは、第２のタイムスロット無線装置のグループと割り当てを交換しても良い。
【００６５】
第３の近隣発見ラウンドのタイムスロット及び周波数割り当てを生成するために、使用されたタイムスロットグループ数は、第２の近隣発見ラウンドのタイムスロット及び周波数割り当てを生成するために使用されたタイムスロットグループ数に関して２倍されても良い。したがって、第２の近隣発見ラウンドで第１のタイムスロットに割り当てられた無線装置は、４個の等しい数の第１のタイムスロットグループに分けられても良く、第２の近隣発見ラウンドで第２のタイムスロットに割り当てられた無線装置は、４個の等しい数の第２のタイムスロットグループに分けられても良い。第３の近隣発見ラウンドのタイムスロット及び周波数割り当てを生成するために、第１のタイムスロット無線装置の２つのグループは、第２のタイムスロット無線装置の２つのグループと割り当てを交換しても良い。
【００６６】
幾つかの実施形態では、近隣発見ラウンドの間で第１のタイムスロットグループと第２のタイムスロットグループの数を２倍して、タイムスロットグループの半数の間で割り当てを交換するこの処理は、近隣発見ラウンドのタイムスロット及び周波数割り当てが、１つの無線装置のみを含むタイムスロットグループの間で割り当てを交換することに基づくまで、繰り返されても良い。タイムスロットグループが１つの無線装置のみを有するようになった後、ＢＳ法は繰り返されても良い。したがって、ＢＳ法で使用される近隣発見ラウンドの数は、各タイムスロットに割り当てられた無線装置の数に基づいても良い。
【００６７】
前述のように、図６Ａ〜６Ｄ及びそれらの関連するマトリクス６００ａ〜６００ｄは、ＢＳ法の例示的な動作を示す。図６Ａ〜６Ｄの図示の例では、各タイムスロットに割り当てられた無線装置の数は８であり、割り当てを繰り返す前に生じ得る近隣発見ラウンドの数が４になるようにする。
【００６８】
上述のように、図６Ａのスケジューリングマトリクス６００ａは、近隣発見の第１のラウンド（ラウンド１として示される）における無線装置ＷＤ１−ＷＤ１６のタイムスロット及び周波数割り当てに関連付けられる。スケジューリングマトリクス６００ａにより示すように、第１の近隣発見ラウンドで、無線装置ＷＤ１−ＷＤ８は、それぞれ第１のタイムスロット（Ｓｌｏｔ１）及び周波数Ｆｒｅｑ．１〜Ｆｒｅｑ．８に割り当てられても良い。第１の近隣発見ラウンドで、無線装置ＷＤ９−ＷＤ１６は、それぞれ第２のタイムスロット（Ｓｌｏｔ２）及び周波数Ｆｒｅｑ．１〜Ｆｒｅｑ．８に割り当てられても良い。
【００６９】
近隣発見の第２のラウンド（図６Ｂでラウンド２として示される）のタイムスロット及び周波数割り当てを決定するために、ＢＳ法は、スケジューリングマトリクス６００ａに基づきスケジューリングマトリクス６００ｂを生成するために用いられても良い。例えば、スケジューリングマトリクス６００ａにおける第１のタイムスロット（Ｓｌｏｔ１）の無線装置ＷＤ１−ＷＤ８は、第１のタイムスロットグループ「Ａ１」及び第１のタイムスロットグループ「Ｂ１」に分けられても良い。第１のタイムスロットグループ「Ａ１」は無線装置ＷＤ１−ＷＤ４を有しても良く、第１のタイムスロットグループ「Ｂ１」は無線装置ＷＤ５−ＷＤ８を有しても良い。さらに、スケジューリングマトリクス６００ａにおける第２のタイムスロット（Ｓｌｏｔ２）の無線装置ＷＤ９−ＷＤ１６は、第２のタイムスロットグループ「Ａ１」及び第２のタイムスロットグループ「Ｂ１」に分けられても良い。第２のタイムスロットグループ「Ａ１」は無線装置ＷＤ９−ＷＤ１２を有しても良く、第２のタイムスロットグループ「Ｂ１」は無線装置ＷＤ１３−ＷＤ１６を有しても良い。スケジューリングマトリクス６００ｂ（したがって、第２の近隣発見ラウンドのタイムスロット及び周波数割り当て）を生成するために、スケジューリングマトリクス６００ａの第１のタイムスロットグループ「Ｂ１」（無線装置ＷＤ５−ＷＤ８）は、スケジューリングマトリクス６００ａの第２のタイムスロットグループ「Ａ１」（無線装置ＷＤ９−ＷＤ１２）とタイムスロット及び周波数割り当てを交換しても良い。さらに、スケジューリングマトリクス６００ａの第１のタイムスロットグループ「Ａ１」（無線装置ＷＤ１−ＷＤ４）及び第２のタイムスロットグループ「Ｂ１」（無線装置ＷＤ１３−ＷＤ１６）に関連する無線装置のタイムスロット及び周波数割り当ては、スケジューリングマトリクス６００ｂにおいてスケジューリングマトリクス６００ａと同じであっても良い。
【００７０】
したがって、スケジューリングマトリクス６００ｂにより示すように、第２の近隣発見ラウンドで、無線装置ＷＤ１−ＷＤ４及びＷＤ９−ＷＤ１２は、それぞれ第１のタイムスロット（Ｓｌｏｔ１）に割り当てられても良く、及び周波数Ｆｒｅｑ．１〜Ｆｒｅｑ．８に割り当てられても良い。さらに、第２の近隣発見ラウンドで、無線装置ＷＤ５−ＷＤ８及びＷＤ１３−ＷＤ１６は、それぞれ第２のタイムスロット（Ｓｌｏｔ２）に割り当てられても良く、及び周波数Ｆｒｅｑ．１〜Ｆｒｅｑ．８に割り当てられても良い。
【００７１】
近隣発見の第３のラウンド（図６Ｃでラウンド３として示される）のタイムスロット及び周波数割り当てを決定するために、ＢＳ法は、スケジューリングマトリクス６００ｂに基づきスケジューリングマトリクス６００ｃを生成するために用いられても良い。例えば、スケジューリングマトリクス６００ｂにおける第１のタイムスロット（Ｓｌｏｔ１）の無線装置ＷＤ１−ＷＤ４及びＷＤ９−ＷＤ１２は、第１のタイムスロットグループ「Ａ２」、第１のタイムスロットグループ「Ｂ２」、第１のタイムスロットグループ「Ｃ２」及び第１のタイムスロットグループ「Ｄ２」に分けられても良い。スケジューリングマトリクス６００ｂの第１のタイムスロットグループ「Ａ２」は無線装置ＷＤ１及びＷＤ２を有しても良い。スケジューリングマトリクス６００ｂの第１のタイムスロットグループ「Ｂ２」は無線装置ＷＤ３及びＷＤ４を有しても良い。スケジューリングマトリクス６００ｂの第１のタイムスロットグループ「Ｃ２」は無線装置ＷＤ９及びＷＤ１０を有しても良い。そして、スケジューリングマトリクス６００ｂの第１のタイムスロットグループ「Ｄ２」は無線装置ＷＤ１１及びＷＤ１２を有しても良い。
【００７２】
さらに、スケジューリングマトリクス６００ｂにおける第２のタイムスロット（Ｓｌｏｔ２）の無線装置ＷＤ５−ＷＤ８及びＷＤ１３−ＷＤ１６は、第２のタイムスロットグループ「Ａ２」、第２のタイムスロットグループ「Ｂ２」、第２のタイムスロットグループ「Ｃ２」及び第２のタイムスロットグループ「Ｄ２」に分けられても良い。スケジューリングマトリクス６００ｂの第２のタイムスロットグループ「Ａ２」は無線装置ＷＤ５及びＷＤ６を有しても良い。スケジューリングマトリクス６００ｂの第２のタイムスロットグループ「Ｂ２」は無線装置ＷＤ７及びＷＤ８を有しても良い。スケジューリングマトリクス６００ｂの第２のタイムスロットグループ「Ｃ２」は無線装置ＷＤ１３及びＷＤ１４を有しても良い。そして、スケジューリングマトリクス６００ｂの第２のタイムスロットグループ「Ｄ２」は無線装置ＷＤ１５及びＷＤ１６を有しても良い。
【００７３】
スケジューリングマトリクス６００ｃ（したがって、第３の近隣発見ラウンドのタイムスロット及び周波数割り当て）を生成するために、スケジューリングマトリクス６００ｂの第１のタイムスロットグループ「Ｂ２」（無線装置ＷＤ３及びＷＤ４）は、スケジューリングマトリクス６００ｂの第２のタイムスロットグループ「Ａ２」（無線装置ＷＤ５及びＷＤ６）とタイムスロット及び周波数割り当てを交換しても良い。さらに、スケジューリングマトリクス６００ｂの第１のタイムスロットグループ「Ｄ２」（無線装置ＷＤ１１及びＷＤ１２）は、スケジューリングマトリクス６００ｂの第２のタイムスロットグループ「Ｃ２」（無線装置ＷＤ１３及びＷＤ１４）とタイムスロット及び周波数割り当てを交換しても良い。さらに、スケジューリングマトリクス６００ｂの第１のタイムスロットグループ「Ａ２」（無線装置ＷＤ１及びＷＤ２）及び「Ｃ２」（無線装置ＷＤ９及びＷＤ１０）並びに第２のタイムスロットグループ「Ｂ２」（無線装置ＷＤ７及びＷＤ８）及び「Ｄ２」（無線装置ＷＤ１５及びＷＤ１６）に関連する無線装置のタイムスロット及び周波数割り当ては、スケジューリングマトリクス６００ｃにおいて、スケジューリングマトリクス６００ｂと同じであっても良い。
【００７４】
したがって、スケジューリングマトリクス６００ｃにより示すように、第３の近隣発見ラウンドで、無線装置ＷＤ１、ＷＤ２、ＷＤ５、ＷＤ６、ＷＤ９、ＷＤ１０、ＷＤ１３及びＷＤ１４は、それぞれ第１のタイムスロット（Ｓｌｏｔ１）に割り当てられても良く、及び周波数Ｆｒｅｑ．１〜Ｆｒｅｑ．８に割り当てられても良い。さらに、第３の近隣発見ラウンドで、無線装置ＷＤ３、ＷＤ４、ＷＤ７、ＷＤ８、ＷＤ１１、ＷＤ１２、ＷＤ１５及びＷＤ１６は、それぞれ第２のタイムスロット（Ｓｌｏｔ２）に割り当てられても良く、及び周波数Ｆｒｅｑ．１〜Ｆｒｅｑ．８に割り当てられても良い。
【００７５】
近隣発見の第４のラウンド（図６Ｄでラウンド４として示される）のタイムスロット及び周波数割り当てを決定するために、ＢＳ法は、スケジューリングマトリクス６００ｃに基づきスケジューリングマトリクス６００ｄを生成するために用いられても良い。例えば、スケジューリングマトリクス６００ｃの第１のタイムスロット（Ｓｌｏｔ１）の無線装置ＷＤ１、ＷＤ２、ＷＤ５、ＷＤ６、ＷＤ９、ＷＤ１０、ＷＤ１３及びＷＤ１４は、第１のタイムスロットグループ「Ａ３」、第１のタイムスロットグループ「Ｂ３」、第１のタイムスロットグループ「Ｃ３」、第１のタイムスロットグループ「Ｄ３」、第１のタイムスロットグループ「Ｅ３」、第１のタイムスロットグループ「Ｆ３」、第１のタイムスロットグループ「Ｇ３」、及び第１のタイムスロットグループ「Ｈ３」に分けられても良い。スケジューリングマトリクス６００ｃの第１のタイムスロットグループ「Ａ３」は、無線装置ＷＤ１を有しても良い。スケジューリングマトリクス６００ｃの第１のタイムスロットグループ「Ｂ３」は、無線装置ＷＤ２を有しても良い。スケジューリングマトリクス６００ｃの第１のタイムスロットグループ「Ｃ３」は、無線装置ＷＤ５を有しても良い。スケジューリングマトリクス６００ｃの第１のタイムスロットグループ「Ｄ３」は、無線装置ＷＤ６を有しても良い。スケジューリングマトリクス６００ｃの第１のタイムスロットグループ「Ｅ３」は、無線装置ＷＤ９を有しても良い。スケジューリングマトリクス６００ｃの第１のタイムスロットグループ「Ｆ３」は、無線装置ＷＤ１０を有しても良い。スケジューリングマトリクス６００ｃの第１のタイムスロットグループ「Ｇ３」は、無線装置ＷＤ１３を有しても良い。そして、スケジューリングマトリクス６００ｃの第１のタイムスロットグループ「Ｈ３」は、無線装置ＷＤ１４を有しても良い。
【００７６】
さらに、スケジューリングマトリクス６００ｃの第２のタイムスロットの無線装置は、第２のタイムスロットグループ「Ａ３」、第２のタイムスロットグループ「Ｂ３」、第２のタイムスロットグループ「Ｃ３」、第２のタイムスロットグループ「Ｄ３」、第２のタイムスロットグループ「Ｅ３」、第２のタイムスロットグループ「Ｆ３」、第２のタイムスロットグループ「Ｇ３」、及び第２のタイムスロットグループ「Ｈ３」に分けられても良い。スケジューリングマトリクス６００ｃの第２のタイムスロットグループ「Ａ３」は、無線装置ＷＤ３を有しても良い。スケジューリングマトリクス６００ｃの第２のタイムスロットグループ「Ｂ３」は、無線装置ＷＤ４を有しても良い。スケジューリングマトリクス６００ｃの第２のタイムスロットグループ「Ｃ３」は、無線装置ＷＤ７を有しても良い。スケジューリングマトリクス６００ｃの第２のタイムスロットグループ「Ｄ３」は、無線装置ＷＤ８を有しても良い。スケジューリングマトリクス６００ｃの第２のタイムスロットグループ「Ｅ３」は、無線装置ＷＤ１１を有しても良い。スケジューリングマトリクス６００ｃの第２のタイムスロットグループ「Ｆ３」は、無線装置ＷＤ１２を有しても良い。スケジューリングマトリクス６００ｃの第２のタイムスロットグループ「Ｇ３」は、無線装置ＷＤ１５を有しても良い。そして、スケジューリングマトリクス６００ｃの第２のタイムスロットグループ「Ｈ３」は、無線装置ＷＤ１６を有しても良い。
【００７７】
スケジューリングマトリクス６００ｄ（したがって、第４の近隣発見ラウンドのタイムスロット及び周波数割り当て）を生成するために、スケジューリングマトリクス６００ｃの第１のタイムスロットグループ「Ｂ３」（無線装置ＷＤ２）は、スケジューリングマトリクス６００ｃの第２のタイムスロットグループ「Ａ３」（無線装置ＷＤ３）とタイムスロット及び周波数割り当てを交換しても良い。さらに、スケジューリングマトリクス６００ｃの第１のタイムスロットグループ「Ｄ３」（無線装置ＷＤ６）は、スケジューリングマトリクス６００ｃの第２のタイムスロットグループ「Ｃ３」（無線装置ＷＤ７）とタイムスロット及び周波数割り当てを交換しても良い。さらに、スケジューリングマトリクス６００ｃの第１のタイムスロットグループ「Ｆ３」（無線装置ＷＤ１０）は、スケジューリングマトリクス６００ｃの第２のタイムスロットグループ「Ｅ３」（無線装置ＷＤ１１）とタイムスロット及び周波数割り当てを交換しても良い。さらに、スケジューリングマトリクス６００ｃの第１のタイムスロットグループ「Ｈ３」（無線装置ＷＤ１４）は、スケジューリングマトリクス６００ｃの第２のタイムスロットグループ「Ｇ３」（無線装置ＷＤ１５）とタイムスロット及び周波数割り当てを交換しても良い。第１のタイムスロットグループ「Ａ３」に関連する無線装置（無線装置ＷＤ１）、「Ｃ３」（無線装置ＷＤ５）、「Ｅ３」（無線装置ＷＤ９）、及び「Ｇ３」（無線装置ＷＤ１３）のタイムスロット及び周波数割り当てである。さらに、スケジューリングマトリクス６００ｃの第２のタイムスロットグループ「Ｂ３」に関連する無線装置（無線装置ＷＤ４）、「Ｄ３」（無線装置ＷＤ８）、「Ｆ３」（無線装置ＷＤ１２）、及び「Ｈ３」（無線装置ＷＤ１６）のタイムスロット及び周波数割り当ては、スケジューリングマトリクス６００ｄにおいてスケジューリングマトリクス６００ｃと同じであっても良い。
【００７８】
したがって、スケジューリングマトリクス６００ｄにより示すように、第４の近隣発見ラウンドで、無線装置ＷＤ１、ＷＤ３、ＷＤ５、ＷＤ７、ＷＤ９、ＷＤ１１、ＷＤ１３及びＷＤ１５は、それぞれ第１のタイムスロット（Ｓｌｏｔ１）に割り当てられても良く、及び周波数Ｆｒｅｑ．１〜Ｆｒｅｑ．８に割り当てられても良い。さらに、第４の近隣発見ラウンドで、無線装置ＷＤ２、ＷＤ４、ＷＤ６、ＷＤ８、ＷＤ１０、ＷＤ１２、ＷＤ１４及びＷＤ１６は、それぞれ第２のタイムスロット（Ｓｌｏｔ２）に割り当てられても良く、及び周波数Ｆｒｅｑ．１〜Ｆｒｅｑ．８に割り当てられても良い。
【００７９】
上述のように、スケジューリングマトリクス６００ｄを生成するために使用したタイムスロットグループは、それぞれ無線装置ＷＤ１−ＷＤ１６のうちの１つを有し得るので、第４の近隣発見ラウンドの後の後続の近隣発見ラウンドは、タイムスロット及び周波数割り当てがスケジューリングマトリクス６００ａに基づき得る第１の近隣発見ラウンドであっても良い。
【００８０】
したがって、ＢＳ法は、スケジューリングマトリクス６００ａ〜６００ｄ（及びそれらの関連する近隣発見ラウンド）に関して使用され、同じ無線装置が同じタイムスロット又は近隣発見信号周波数を全ての近隣発見ラウンドで共有し得ないようにしても良い。したがって、同じ無線装置は、スケジューリングマトリクス６００ａ〜６００ｄに関連する全ての近隣発見ラウンドにおいて、同じ時間に又は同じ周波数で近隣発見信号を送信し得ない。
【００８１】
本開示の範囲から逸脱することなくスケジューリングマトリクス６００ａ〜６００ｄに対し変更が行われても良い。例えば、行６０４の数（したがって、タイムスロット当たりの周波数の数）は変化しても良い。さらに、幾つかの実施形態では、行６０４ａ〜６０４ｄはタイムスロットを示しても良く、列６０２ａ〜６０２ｄは周波数を示しても良い。
【００８２】
さらに、幾つかの場合には、ＢＳ法に基づきタイムスロット及び周波数割り当てを与えられるべき無線装置の数は、２の冪乗でなくても良い。これらの場合の幾つかでは、要素６０６ａ〜６０６ｐのうちの１又は複数は、存在し得ないダミー無線装置に投入されても良く、ＢＳ法は、ダミー無線装置及び実際の無線装置と共に上述のように進められても良い。例えば、ＢＳ法及びスケジューリングマトリクス６００ａ〜６００ｄに基づきタイムスロット及び周波数割り当てを与えられた無線装置の数が１０である場合、ＢＳ法を実行している間、要素６０６ａ〜６０６ｐのうちの６個はダミー無線装置に投入されても良い。
【００８３】
さらに、スケジューリングマトリクス６０２ａ〜６０２ｄに関連する無線装置ＷＤ１−ＷＤ１６を種々のタイムスロットグループに分けることに関して上述の説明がなされたが、同じ処理は、スケジューリングマトリクス６０２ａ〜６０２ｄの要素６０６ａ〜６０６ｐを種々のタイムスロットグループに分けること、及び種々の要素６０６ａ〜６０６ｐに関連するリソース割り当てを交換することについても実行できる。
【００８４】
上述のように、スケジューリングマトリクス（例えば、スケジューリングマトリクス３００ａ、３００ｂ、４００ａ、４００ｂ、５００ａ、５００ｂ、６００ａ、６００ｂ、６００ｃ、及び６００ｄ）は、１つのグループに編成された複数の無線装置に近隣発見信号リソースを割り当てるために用いられても良い。幾つかの実施形態では、無線装置の複数のグループは、それぞれ、１又は複数のスケジューリングマトリクスに関連付けられても良い。上述の及び他の実施形態では、無線装置の特定のグループに関連付けられたスケジューリングマトリクスは、無線装置の他のグループに関連付けられたスケジューリングマトリクスと異なるタイムスロットを割り当てられても良い。したがって、１つの無線装置グループのうちの複数の無線装置は、他の無線装置グループの無線装置と同じタイムスロットで近隣発見信号を送信し得ない。したがって、無線装置は、他のグループに含まれる無線装置を発見できる。
【００８５】
例えば、第１の無線装置グループに関連する第１のスケジューリングマトリクスは、ＴＤＭＡ方式でタイムスロット「１」乃至「４」に関連付けられても良い。したがって、第１のグループの無線装置は、それらの個々の近隣発見信号を、タイムスロット「１」乃至「４」のうちの任意の１つのタイムスロットで送信するよう構成されても良い。さらに、第２の無線装置グループに関連する第２のスケジューリングマトリクスは、同じＴＤＭＡ方式でタイムスロット「５」乃至「８」に関連付けられても良い。したがって、第２のグループの無線装置は、それらの個々の近隣発見信号を、タイムスロット「５」乃至「８」のうちの任意の１つのタイムスロットで送信するよう構成されても良い。したがって、第１のグループの無線装置は、それらの個々の近隣発見信号を、第２のグループの無線装置がそれらの個々の近隣発見信号を送信し得るのと同じ時間に、送信し得ない。
【００８６】
異なるグループは、任意の数の方法で異なるタイムスロットを割り当てられても良く、タイムスロットの割り当ては、上述の与えられた例に限定されない。例えば、幾つかの実施形態では、１つのグループは、偶数番号のタイムスロットを割り当てられても良く、一方で、別のグループは、上述の方法の代わりに奇数番号のタイムスロットを割り当てられても良い。或いは、グループ間の任意の他の適切なタイムスロット割り当てが実行されても良い。
【００８７】
したがって、図１〜６に関して記載した幾つかの実施形態に従って、無線通信ネットワークは、無線装置に近隣発見を実行するよう指示するよう構成され及び無線装置のうちの１又は複数のセットにＤ２Ｄ通信に参加するよう命令し得る１又は複数のアクセスポイントを有しても良い。上述のように、幾つかの実施形態では、アクセスポイントは、無線装置により近隣発見信号を送信及び／又は受信するために、周波数及び時間送信スケジュールを決定しても良い。したがって、アクセスポイントは、無線装置に、具体的に割り当てられたタイムスロットの間に、具体的に割り当てられた周波数で、近隣発見信号を送信する及び／又は傾聴するよう指示しても良い。
【００８８】
図７は、本開示に従って構成される、無線ネットワークのＤ２Ｄ通信の制御された開始の例示的な方法７００のフローチャートである。方法７００は、幾つかの実施形態では、図１に関連して記載されたネットワーク１００のような無線通信ネットワークにより実施されても良い。例えば、図１のネットワーク１００のアクセスポイント１０２及び無線装置１０４は、方法７００の１又は複数のブロックにより表されるような、無線装置１０４間のＤ２Ｄ通信を開始する１又は複数の動作を実行するためのコンピュータ命令を実行するよう構成されても良い。別個のブロックとして示したが、所望の実装に依存して、種々のブロックは、更なるブロックに分割され、少ないブロックに結合され、又は除去されても良い。
【００８９】
方法７００は、ブロック７０２で開始しても良い。ここで、発見チャネルリソースは、送信無線装置に割り当てられても良い。したがって、送信無線装置は、発見チャネルリソースに基づき、近隣発見信号を送信するよう構成されても良い。ブロック７０４で、近隣発見信号情報は、受信無線装置から受信されても良い。受信無線装置は、送信無線装置により送信される近隣発見信号を受信するよう構成されても良く、受信無線装置により受信される近隣発見信号に基づき、近隣発見信号情報を決定しても良い。ブロック７０６で、送信無線装置及び受信無線装置は、近隣発見信号情報に基づき、他者とのＤ２Ｄ通信に参加するよう指示されても良い。
【００９０】
したがって、方法７００は、無線通信ネットワークにより制御されるＤ２Ｄ通信の開始を達成するために用いられても良い。当業者は、この処理及び本願明細書に開始した他の処理及び方法において、その処理及び方法で実行される機能が異なる順序で実施されても良いことを理解するだろう。さらに、概略のステップ及び動作は、単に例として提供され、幾つかのステップ及び動作は、開示の実施形態の本質から逸脱することなく、任意であり、より少ないステップ及び動作に組み合わされ、又は追加ステップ及び動作に拡張されても良い。
【００９１】
例えば、方法７００は、近隣発見信号情報に基づき近接情報を構築すること、及び送信無線装置及び受信無線装置に、該近接情報に基づきＤ２Ｄ通信に参加するよう指示すること、に関連するステップを更に有しても良い。さらに、幾つかの実施形態では、発見チャネルリソースの割り当ては、ＰＮＤＣＨ及び図２〜６Ｄに関して上述したような関連するスケジューリングマトリクスに基づき行われても良い。
【００９２】
図１に戻ると、幾つかの実施形態では、送信無線装置１０４ａは、アクセスポイント１０２（又は他のアクセスポイント）と他の無線装置１０４との間のアップリンク及び／又はダウンリンク通信と同じ周波数又はそれに近い周波数で、自身の近隣発見信号を送信しても良い。したがって、上述のように、幾つかの実施形態では、ネットワーク１００は、近隣発見信号が他の無線通信と実質的に干渉しないように、近隣発見信号の電力レベルを制御するよう構成されても良い。
【００９３】
幾つかの実施形態では、送信無線装置１０４ａが自身の関連する近隣発見信号をアップリンク通信と関連する周波数で送信するよう構成されるとき、アクセスポイント１０２及び／又はネットワーク制御部１０１は、特に、送信無線装置１０４ａの最大送信電力、アクセスポイント１０２と他の無線装置１０４との間の通信により経験される干渉、無線装置１０４ａとアクセスポイント１０２との間のアップリンク信号経路損失、アクセスポイント１０２により提供されるセルの無線装置１０４により発見された近隣無線装置の数（例えば、近隣発見を実行する各無線装置１０４により発見された近隣の平均数）に関連するセル固有電力制御調整、送信無線装置１０４ａの発見された近隣無線装置の数に関連する個々の電力制御調整に基づき、送信無線装置１０４ａの近隣発見信号の電力を決定しても良い。
【００９４】
例えば、送信無線装置１０４ａは、その最大送信電力より高い送信電力で近隣発見信号を送信することはできない。したがって、近隣発見信号の送信電力は、送信無線装置の最大送信電力に関連しても良い。
【００９５】
さらに、上述のように、近隣発見信号がアップリンク周波数で送信されるとき、近隣発見信号は、無線装置１０４のうちの他の無線装置からアクセスポイント１０２へ送信されるアップリンク信号と干渉し得る。例えば、近隣発見信号は、アップリンク信号と干渉し得る。したがって、近隣発見信号は、アクセスポイント１０２においてアップリンク信号に関連するノイズフロアを上昇し得る。
【００９６】
アップリンク信号により経験される近隣発見信号からの干渉の量は、近隣発見信号の信号電力に関連し得る。さらに、アクセスポイント１０２においてアップリンク信号により経験される干渉の量は、アクセスポイント１０２における近隣発見信号の電力に基づいても良い。さらに、アクセスポイント１０２により受信される近隣発見信号の電力は、送信無線装置１０４ａとアクセスポイント１０２との間の経路損失に関連しても良い。したがって、幾つかの実施形態では、送信無線装置１０４ａとアクセスポイント１０２との間の経路損失は、近隣発見信号の基準電力レベルとして用いられても良い。上述の及び他の実施形態では、アクセスポイント１０２により受信されるよう送信無線装置１０４ａにより送信されたＳＲＳ信号の電力、ＰＵＳＣＨ（physical  uplink  shared  channel）信号、及び／又は物理アップリンクＰＵＣＣＨ信号は、基準電力レベルとして用いられても良い。
【００９７】
幾つかの実施形態では、経路損失、ＳＲＳ信号電力、ＰＵＳＣＨ信号電力、及び／又はＰＵＣＣＨ信号電力は、それぞれ、アクセスポイント１０２へ通信されるアップリンク通信により経験される干渉の量に基づく重み付け係数を適用されても良い。したがって、基準電力レベルとして用いられる経路損失、ＳＲＳ信号電力、ＰＵＳＣＨ信号電力、及び／又はＰＵＣＣＨ信号電力の量は、干渉に基づき調整されても良い。幾つかの実施形態では、重み付け係数は、ネットワーク制御ユニット１０１により決定されネットワーク制御ユニット１０１によりアクセスポイント１０２へ通信され得る、「０」乃至「１」の間の数値であっても良い。
【００９８】
ネットワーク制御ユニット１０１は、近隣発見信号、環境要因、及び／又は他の無線信号（他の近隣発見信号を含む）からであり得る干渉に基づき重み付け係数を決定しても良い。アクセスポイント１０２へのアップリンク通信が（近隣発見信号及び／又は他の要因からの）比較的高い干渉量を経験するとき、ネットワーク制御ユニット１０１は、アクセスポイント１０２へのアップリンク通信が比較的低い干渉量を経験するときより、重み付け係数を低く設定しても良い。さらに、幾つかの実施形態では、ネットワーク制御ユニット１０１は、送信無線装置１０４ａにより送信された近隣発見信号が他のアクセスポイント向けのアップリンク通信とも干渉し得る場合に、他のアクセスポイント向けのアップリンク通信により経験される干渉に基づき、重み付け係数を設定しても良い。
【００９９】
さらに、上述のように、アクセスポイント１０２は、アクセスポイント１０２により供される送信無線装置により発見された近隣無線装置の数（例えば、近隣発見信号を送信することにより近隣発見を実行する各無線装置１０４により発見された近隣の平均数）に関連付けられた電力制御調整に基づき、近隣発見信号の送信電力を調整しても良い。送信無線装置１０４ａのような送信無線装置が近隣発見信号を送信するとき、近隣発見信号を受信し得る（したがって、近隣発見信号を送信する無線装置の発見された近隣であり得る）無線装置の数は、近隣発見信号の送信電力に基づいても良い。したがって、アクセスポイント１０２は、送信無線装置に、それらの個々の近隣発見信号の送信電力を調整するよう指示しても良い。したがって、少なくとも大多数の送信無線装置により発見された近隣無線装置の数は、所望の範囲（例えば、６乃至１０の間）であり得る。幾つかの実施形態では、アクセスポイント１０２は、近隣発見信号を送信する各無線装置により発見された近隣無線装置の平均数に基づき、この決定を行っても良い。
【０１００】
アクセスポイント１０２は、送信無線装置１０４ａにより個々に発見された近隣の数に基づき、送信無線装置１０４ａの送信電力を調整しても良い。したがって、アクセスポイント１０２は、送信無線装置１０４ａのために個々に電力調整を行っても良い。したがって、送信無線装置１０４ａにより発見された近隣無線装置の数は、所望の範囲内であり得る。
【０１０１】
幾つかの実施形態では、アクセスポイント１０２は、以下の式のうちの１又は複数に基づき、近隣発見信号電力を決定しても良い。
【数１】
2016519467.tif 000003
【０１０２】
上記の式で、ＰＮＤＳは送信無線装置１０４ａにより送信された近隣発見信号の決定された電力を表し得る。Ｐｍａｘは、送信無線装置１０４ａの最大送信電力を表し得る。αは、アップリンク通信により経験される干渉に関連する重み付け係数を表し得る。ＰＬｃは、送信無線装置１０４ａとアクセスポイント１０２との間の経路損失を表し得る。ＰＳＲＳは、送信無線装置１０４ａとアクセスポイント１０２との間で送信されたＳＲＳ信号のＳＲＳ信号電力を表し得る。ＰＰＵＳＣＨは、送信無線装置１０４ａとアクセスポイント１０２との間で送信されたＰＵＳＣＨ信号のＰＵＳＣＨ信号電力を表し得る。ＰＰＵＣＣＨは、送信無線装置１０４ａとアクセスポイント１０２との間で送信されたＰＵＣＣＨ信号のＰＵＣＣＨ信号電力を表し得る。ΔＰＣは、上述のセル固有電力制御調整を表し得る。ΔＰＷＤは、送信無線装置１０４ａに関連する、及び上述の、個々の電力制御調整を表し得る。
【０１０３】
したがって、第１の式では、送信無線装置１０４ａの近隣発見信号の送信電力は、送信無線装置１０４ａの最大送信電力、又は重み付け係数により乗算された経路損失、セル固有電力調整、及び送信無線装置１０４ａの個々の電力調整の和のうちの低い値であっても良い。第２の式では、送信無線装置１０４の近隣発見信号の送信電力は、送信無線装置１０４ａの最大送信電力、又は重み付け係数により乗算されたＳＲＳ信号電力、セル固有電力調整、及び送信無線装置１０４ａの個々の電力調整の和のうちの低い値であっても良い。第３の式では、送信無線装置１０４ａの近隣発見信号の送信電力は、送信無線装置１０４ａの最大送信電力、又は重み付け係数により乗算されたＰＵＳＣＨ信号電力、セル固有電力調整、及び送信無線装置１０４ａの個々の電力調整の和のうちの低い値であっても良い。
【０１０４】
したがって、上述の式は、送信無線装置１０４ａがアップリンク通信に関連する１又は複数の周波数で近隣発見信号を送信するよう構成されるとき、送信無線装置１０４ａの近隣発見信号の送信電力レベルを設定するために、アクセスポイント１０２により使用され得る。送信無線装置１０４ａがダウンリンク通信に関連する１又は複数の周波数で近隣発見信号を送信するよう構成されるとき、アクセスポイント１０２は、後述するように、僅かに異なる方法で近隣発見信号の送信電力を決定しても良い。
【０１０５】
送信無線装置１０４ａがダウンリンク周波数で近隣発見信号を送信するよう構成されるとき、アクセスポイント１０２（又は他のアクセスポイント）と他の無線装置１０４との間のダウンリンク通信により経験される干渉に関連付けられた情報は、直ちに利用可能ではない。したがって、これらの実施形態では、近隣発見信号の電力は、送信無線装置１０４ａの最大送信電力に基づいても良く、近隣発見信号がセル固有送信電力であるとき、アクセスポイント１０２により提供されるセル内で送信無線装置の各々により発見され得る近隣無線装置の推定数に関連付けられたセル固有送信電力に基づいても良い。さらに、近隣発見信号がダウンリンク周波数で送信されるときの近隣発見信号の電力は、送信無線装置１０４ａの関連する近隣発見信号で送信無線装置１０４ａにより発見され得る近隣無線装置の数に関連付けられた送信無線装置１０４ａの個々の電力調整に基づいても良い。
【０１０６】
上述の及び他の実施形態では、アクセスポイント１０２は、次式に基づき近隣発見信号電力を決定しても良い。
【数２】
2016519467.tif 000004
【０１０７】
上記の式で、ＰＮＤＳは送信無線装置１０４ａにより送信された近隣発見信号の決定された電力を表し得る。Ｐｍａｘは、送信無線装置１０４ａの最大送信電力を表し得る。ＰＣは、上述のセル固有電力レベルを表し得る。ΔＰＷＤは、送信無線装置１０４ａに関連する、及び上述の、個々の電力制御調整を表し得る。式により示すように、送信無線装置１０４ａの近隣発見信号の送信電力は、送信無線装置１０４ａの最大送信電力、又はセル固有電力レベル及び送信無線装置１０４ａの個々の電力調整の和うちの低い値であっても良い。したがって、上述の式は、送信無線装置１０４ａがダウンリンク通信に関連する１又は複数の周波数で近隣発見信号を送信するよう構成されるとき、送信無線装置１０４ａの近隣発見信号の送信電力レベルを設定するために、アクセスポイント１０２により使用され得る。
【０１０８】
したがって、アクセスポイント１０２は、上述のような方法で近隣発見信号の送信電力を決定しても良い。近隣発見信号の送信電力を決定した後に、アクセスポイント１０２は、送信無線装置１０４ａに、その近隣発見信号を決定された送信電力で送信するよう命令しても良い。幾つかの実施形態では、アクセスポイント１０２は、ＲＲＣ構成に基づき送信無線装置１０４ａに命令しても良い。
【０１０９】
上述の電力制御に変更が行われても良い。例えば、アクセスポイント１０２及び／又は送信無線装置１０４ａは、近隣発見信号の電力を決定し及び設定することに関連する１又は複数のパラメータを決定しても良い。さらに、任意の数の無線装置１０４が、送信無線装置として構成されても良く、各送信無線装置に関連する各近隣発見信号の電力レベルは、上述の方法で調整されても良い。さらに、近隣発見信号がアップリンク又はダウンリンク周波数で送信されない場合でも、上述の要因のうちの１又は複数が、近隣発見信号の電力を調整するために用いられても良い。
【０１１０】
図８は、本開示に従って構成される、近隣発見信号の電力制御の例示的な方法８００のフローチャートである。方法８００は、幾つかの実施形態では、図１に関連して記載されたネットワーク１００のような無線通信ネットワークにより実施されても良い。例えば、図１のネットワーク１００のアクセスポイント１０２、ネットワーク制御ユニット１０１、及び／又は無線装置１０４は、方法８００の１又は複数のブロックにより表される、近隣発見信号の電力レベルを制御する１又は複数の動作を実行するコンピュータ命令を実行するよう構成されても良い。別個のブロックとして示したが、所望の実装に依存して、種々のブロックは、更なるブロックに分割され、少ないブロックに結合され、又は除去されても良い。
【０１１１】
方法８００は、ブロック８０２で開始しても良い。ここで、送信無線装置の最大送信電力が決定されても良い。送信無線装置は、１又は複数の受信無線装置に近隣発見信号を送信するよう構成されても良い。したがって、１又は複数の受信無線装置は、送信無線装置の発見された近隣無線装置であっても良い。
【０１１２】
ブロック８０４で、近隣発見信号の電力レベルが決定されても良い。近隣発見信号の電力レベルは、送信無線装置の最大送信電力及び発見された近隣無線装置の数に基づき決定されても良い。
【０１１３】
したがって、方法８００は、近隣発見信号の電力レベルを決定するために用いられても良い。当業者は、この処理及び本願明細書に開始した他の処理及び方法において、その処理及び方法で実行される機能が異なる順序で実施されても良いことを理解するだろう。さらに、概略のステップ及び動作は、単に例として提供され、幾つかのステップ及び動作は、開示の実施形態の本質から逸脱することなく、任意であり、より少ないステップ及び動作に組み合わされ、又は追加ステップ及び動作に拡張されても良い。
【０１１４】
例えば、幾つかの実施形態では、方法８００は、送信無線装置と無線ネットワークアクセスポイントとの間で送信されるＰＵＳＣＨ信号の電力レベル、送信無線装置と無線ネットワークアクセスポイントとの間で送信されるＰＵＣＣＨ信号の電力レベル、送信無線装置と無線ネットワークアクセスポイントとの間で送信されるＳＲＳ信号の電力レベル、及び送信無線装置と無線ネットワークアクセスポイントとの間のアップリンク信号経路損失、のうちの少なくとも１つに基づき、近隣発見信号電力を決定することに関連するステップを更に有しても良い。さらに、上述の及び他の実施形態では、方法８００は、別の送信無線装置により発見された近隣無線装置の数に基づき、近隣発見信号電力レベルを決定することに関連するステップを更に有しても良い。さらに、方法８００は、別の無線装置と無線通信ネットワークのアクセスポイントとの間の通信により経験される干渉に基づき、近隣発見信号電力レベルを決定することに関連するステップを有しても良い。
【０１１５】
本願明細書に記載した実施形態は、コンピュータにより実行可能な命令又はデータ構造を伝える又は格納しているコンピュータ可読媒体を用いて実施され得る。このようなコンピュータ可読媒体は、汎用又は特定目的コンピュータによりアクセスできる利用可能な媒体であり得る。例として且つ限定ではなく、このようなコンピュータ可読媒体は、ＲＡＭ（Random  Access  Memory）、ＲＯＭ（Read-Only  Memory）、ＥＥＰＲＯＭ（Electrically  Erasable  Programmable  Read-Only  Memory）、ＣＤ−ＲＯＭ（Compact  Disc  Read-Only  Memory）又は他の光ディスク記憶装置、磁気ディスク記憶装置又は他の磁気記憶装置を含む有形コンピュータ可読記憶媒体、又はコンピュータにより実行可能な命令若しくはデータ構造の形式で所望のプログラムコード手段を伝える若しくは格納するために用いられ汎用若しくは特定目的コンピュータによりアクセス可能な他の媒体を有し得る。上述の組合せも、コンピュータ可読媒体の範囲に包含され得る。
【０１１６】
コンピュータにより実行可能な命令は、例えば、汎用コンピュータ、特定目的コンピュータ又は特定目的処理装置に特定の機能又は機能グループを実行させる命令及びデータを有する。本発明の主題は構造的特徴及び／又は方法論的動作に特有の言葉で記載されたが、本発明の主題は、特許請求の範囲に定められる上述の特定の特徴又は動作に限定されないことが理解されるべきである。むしろ、上述の特定の特徴及び動作は、特許請求の範囲の実施の例示的形態として開示されたものである。
【０１１７】
本願明細書で用いられるように、用語「モジュール」又は「コンポーネント」は、コンピューティングシステムで実行されるソフトウェアオブジェクト又はルーチンを表し得る。本願明細書に記載されたのと異なるコンポーネント、モジュール、エンジン及びサービスは、（例えば、別個のスレッドとして）コンピューティングシステムで実行されるオブジェクト又は処理として実施されても良い。本願明細書に記載されたシステム及び方法はソフトウェアで実施されることが望ましいが、ハードウェアによる実装又はソフトウェアとハードウェアの組合せも、可能であり想定される。この説明では、「コンピュータエンティティ」は、本願明細書で先に定められたようにコンピューティングシステム、又はコンピューティングシステムで実行されるモジュール若しくはモジュールの組合せであっても良い。
【０１１８】
本開示に記載された全ての例及び条件文は、教育上の目的で、読者が本発明の原理及び発明者により考案された概念を理解するのを助け、技術を促進させるためであり、これらの特に記載された例及び条件に限定されないものと考えられるべきである。本開示の実施形態が詳細に記載されたが、種々の変更、置換及び修正が本開示の精神及び範囲から逸脱することなく行われうることが理解されるべきである。
【図１】
2016519467.tif 000005
【図２】
2016519467.tif 000006
【図３】
2016519467.tif 000007
【図４】
2016519467.tif 000008
【図５】
2016519467.tif 000009
【図６Ａ】
2016519467.tif 000010
【図６Ｂ】
2016519467.tif 000011
【図６Ｃ】
2016519467.tif 000012
【図６Ｄ】
2016519467.tif 000013
【図７】
2016519467.tif 000014
【図８】
2016519467.tif 000015
【国際調査報告】
2016519467.tif 000016